(57)【要約】【課題】ユーザがどの時間帯に放送された広告を視聴したかを知ることができる情報提供方法、情報提供システム及びサーバを提供する。【解決手段】情報提供方法は、ユーザが一定期間に視聴した番組の視聴履歴を含む個人情報を取得し、個人情報をユーザ以外の第３者に提供する条件を示す個人情報提供条件を取得し、番組に含まれる広告を視聴したユーザが利用可能であるクーポンと、クーポンを通知する条件を示すクーポン通知条件とを取得し、視聴履歴に基づいてユーザが視聴した広告に対応するクーポンを特定し、個人情報提供条件とクーポン通知条件とに基づいて、クーポンが利用可能であるか否かを判断し、利用可能であると判断されたクーポンをユーザに通知し、クーポンがユーザによって利用された後、個人情報提供条件に応じた個人情報を提供する。【選択図】図２５
2015187838.tif 000002
【特許請求の範囲】
【請求項１】
ユーザが一定期間に視聴した番組の視聴履歴を含む個人情報を取得する個人情報取得ステップと、
前記個人情報を前記ユーザ以外の第３者に提供する条件を示す個人情報提供条件を取得する個人情報提供条件取得ステップと、
前記番組に含まれる広告を視聴したユーザが利用可能であるクーポンと、前記クーポンを通知する条件を示すクーポン通知条件とを取得するクーポン通知条件取得ステップと、
前記視聴履歴に基づいて前記ユーザが視聴した前記広告に対応する前記クーポンを特定し、前記個人情報提供条件と前記クーポン通知条件とに基づいて、特定した前記クーポンが利用可能であるか否かを判断するクーポン利用判断ステップと、
前記クーポン利用判断ステップにおいて利用可能であると判断された前記クーポンを前記ユーザに通知するクーポン通知ステップと、
前記クーポン通知ステップにおいて通知された前記クーポンが前記ユーザによって利用された後、前記個人情報提供条件に応じた前記個人情報を提供する個人情報提供ステップと、
を含む情報提供方法。
【請求項２】
前記クーポン利用判断ステップにおいて前記クーポンが利用不可であると判断された場合、前記クーポンを利用するために前記個人情報提供条件の変更を受け付ける変更受付ステップをさらに含む、
請求項１記載の情報提供方法。
【請求項３】
前記クーポン通知条件は、前記クーポンを利用した１のユーザの前記視聴履歴を含む第１の個人情報を提供することを示す第１のクーポン通知条件と、前記クーポンを利用した複数のユーザの前記視聴履歴に対して統計処理を施した統計視聴履歴を含む第２の個人情報を提供することを示す第２のクーポン通知条件とを含み、
前記クーポンは、前記第１のクーポン通知条件に対応する第１のクーポンと、前記第２のクーポン通知条件に対応する第２のクーポンとを含み、
前記クーポン利用判断ステップは、前記個人情報提供条件が前記第１のクーポン通知条件を満たす場合、前記第１のクーポンが利用可能であると判断し、前記個人情報提供条件が前記第２のクーポン通知条件を満たす場合、前記第２のクーポンが利用可能であると判断し、前記個人情報提供条件が前記第１のクーポン通知条件及び前記第２のクーポン通知条件を満たさない場合、前記第１のクーポン及び前記第２のクーポンのいずれも利用不可であると判断する、
請求項１又は２記載の情報提供方法。
【請求項４】
前記個人情報は、前記ユーザの年齢、性別、家族構成、居住地域及び趣味のうちの少なくとも１つを示すユーザ属性情報をさらに含み、
前記クーポン通知条件は、前記ユーザ属性情報を提供することを示す第３のクーポン通知条件を含み、
前記クーポン利用判断ステップは、前記個人情報提供条件が前記第３のクーポン通知条件を満たす場合、前記クーポンを利用可能であると判断する、
請求項１又は２記載の情報提供方法。
【請求項５】
前記個人情報は、前記ユーザが所有する家電機器の使用履歴をさらに含み、
前記クーポン通知条件は、前記家電機器の使用履歴を提供することを示す第４のクーポン通知条件を含み、
前記クーポン利用判断ステップは、前記個人情報提供条件が前記第４のクーポン通知条件を満たす場合、前記クーポンを利用可能であると判断する、
請求項１又は２記載の情報提供方法。
【請求項６】
クーポンを配信するクーポン配信端末と、前記クーポン配信端末によって配信された前記クーポンを受信するクーポン受信端末とを備える情報提供システムであって、
前記クーポン配信端末は、
ユーザが一定期間に視聴した番組の視聴履歴を含む個人情報を取得する個人情報取得部と、
前記個人情報を前記ユーザ以外の第３者に提供する条件を示す個人情報提供条件を取得する個人情報提供条件取得部と、
前記番組に含まれる広告を視聴したユーザが利用可能であるクーポンと、前記クーポンを通知する条件を示すクーポン通知条件とを取得するクーポン通知条件取得部と、
前記視聴履歴に基づいて前記ユーザが視聴した前記広告に対応する前記クーポンを特定し、前記個人情報提供条件と前記クーポン通知条件とに基づいて、特定した前記クーポンが利用可能であるか否かを判断するクーポン利用判断部と、
前記クーポン利用判断部によって利用可能であると判断された前記クーポンを前記ユーザに通知するクーポン通知部と、
前記クーポン通知部によって通知された前記クーポンが前記ユーザによって利用された後、前記個人情報提供条件に応じた前記個人情報を提供する個人情報提供部と、
を備え、
前記クーポン受信端末は、
前記クーポン通知部によって通知された前記クーポンを受信する受信部と、
前記受信部によって受信された前記クーポンを表示する表示部と、
を備える、
情報提供システム。
【請求項７】
ユーザが一定期間に視聴した番組の視聴履歴を含む個人情報を取得する個人情報取得部と、
前記個人情報を前記ユーザ以外の第３者に提供する条件を示す個人情報提供条件を取得する個人情報提供条件取得部と、
前記番組に含まれる広告を視聴したユーザが利用可能であるクーポンと、前記クーポンを通知する条件を示すクーポン通知条件とを取得するクーポン通知条件取得部と、
前記視聴履歴に基づいて前記ユーザが視聴した前記広告に対応する前記クーポンを特定し、前記個人情報提供条件と前記クーポン通知条件とに基づいて、特定した前記クーポンが利用可能であるか否かを判断するクーポン利用判断部と、
前記クーポン利用判断部によって利用可能であると判断された前記クーポンを前記ユーザに通知するクーポン通知部と、
前記クーポン通知部によって通知された前記クーポンが前記ユーザによって利用された後、前記個人情報提供条件に応じた前記個人情報を提供する個人情報提供部と、
を備えるサーバ。
【発明の詳細な説明】
【技術分野】
【０００１】
本発明は、広告を含む番組を試聴したユーザに関する情報を広告主に提供する情報提供方法、情報提供システム及びサーバに関するものである。
【背景技術】
【０００２】
テレビ放送は大きな影響力のある媒体のひとつである。例えば、テレビ番組で紹介された商品がヒットしたり、テレビ番組で紹介されたお店が混雑したりすることはよくある現象である。
【０００３】
一方、テレビ番組を評価する指標として視聴率がある。ＣＭ（コマーシャルメッセージ）の広告主としては、放送によってどれだけの効果があったかが興味の対象であり、現在は、視聴率によって、ＣＭがどれだけの人に視聴されたかをＣＭの効果の指標として推測している。また、ＣＭの効果を上げるためには、視聴率の高い番組でＣＭを放送することが有効である。
【０００４】
そして、一般的に、視聴率の高い番組ほどＣＭを放送するための広告料金も高額となる傾向にある。
【０００５】
しかしながら、視聴率はリアルタイムで番組を視聴した人の割合が分かるのみであり、番組で紹介されたお店に行った人の割合と正確には比例しない。ＣＭの効果を評価する指標として、どの時間帯（番組）で放送されたＣＭにどれだけの影響力があったか、どの時間帯（番組）で放送されたＣＭの視聴後に実際にどれだけの人が行動を起こしたかという情報のフィードバックが望まれている。
【０００６】
例えば、特許文献１では、コマーシャルを視聴したユーザがクーポン発行を指示し、ユーザのクーポン利用履歴からコマーシャルの効果を計算する方法が開示されている。
【先行技術文献】
【特許文献】
【０００７】
【特許文献１】特許第３９３１５５４号明細書
【発明の概要】
【発明が解決しようとする課題】
【０００８】
しかしながら、特許文献１では、コマーシャルを放送していない広告枠に対するコマーシャルの効果を通知することはできない。
【０００９】
また、近年、通信機能が付加されたテレビ及びレコーダの普及、又はスマートフォンでテレビを操作するリモコンアプリの普及により、個人の視聴履歴をサーバ側で収集する環境が整ってきている。しかしながら、視聴履歴は個人情報であり、視聴者が積極的に個人情報を公開しない限り、広告主は視聴履歴を取得することはできない。そのため、複数の時間帯にＣＭを放送した広告主は、放送後に来店した顧客が、どの時間帯のＣＭを視聴したのか分からず、ＣＭ効果の高い放送時間帯を知ることができない。また、実際にはもっとＣＭ効果の高い放送時間帯があった場合でも、広告主は、ＣＭを放送していない時間帯に対するＣＭ効果を知ることはできない。
【００１０】
本発明は、上記の問題を解決するためになされたもので、ユーザがどの時間帯に放送された広告を視聴したかを知ることができる情報提供方法、情報提供システム及びサーバを提供することを目的とするものである。
【課題を解決するための手段】
【００１１】
本発明の一局面に係る情報提供方法は、ユーザが一定期間に視聴した番組の視聴履歴を含む個人情報を取得する個人情報取得ステップと、前記個人情報を前記ユーザ以外の第３者に提供する条件を示す個人情報提供条件を取得する個人情報提供条件取得ステップと、前記番組に含まれる広告を視聴したユーザが利用可能であるクーポンと、前記クーポンを通知する条件を示すクーポン通知条件とを取得するクーポン通知条件取得ステップと、前記視聴履歴に基づいて前記ユーザが視聴した前記広告に対応する前記クーポンを特定し、前記個人情報提供条件と前記クーポン通知条件とに基づいて、特定した前記クーポンが利用可能であるか否かを判断するクーポン利用判断ステップと、前記クーポン利用判断ステップにおいて利用可能であると判断された前記クーポンを前記ユーザに通知するクーポン通知ステップと、前記クーポン通知ステップにおいて通知された前記クーポンが前記ユーザによって利用された後、前記個人情報提供条件に応じた前記個人情報を提供する個人情報提供ステップと、を含む。
【００１２】
この構成によれば、ユーザが一定期間に視聴した番組の視聴履歴を含む個人情報が取得される。個人情報をユーザ以外の第３者に提供する条件を示す個人情報提供条件が取得される。番組に含まれる広告を視聴したユーザが利用可能であるクーポンと、クーポンを通知する条件を示すクーポン通知条件とが取得される。視聴履歴に基づいてユーザが視聴した広告に対応するクーポンが特定され、個人情報提供条件とクーポン通知条件とに基づいて、特定されたクーポンが利用可能であるか否かが判断される。利用可能であると判断されたクーポンがユーザに通知される。通知されたクーポンがユーザによって利用された後、個人情報提供条件に応じた個人情報が提供される。
【００１３】
したがって、視聴履歴が提供された広告主は、クーポンを利用したユーザが、どの番組に含まれる広告を視聴したかを知ることができ、より広告効果が高い番組に広告を放送することができる。
【００１４】
また、上記の情報提供方法において、前記クーポン利用判断ステップにおいて前記クーポンが利用不可であると判断された場合、前記クーポンを利用するために前記個人情報提供条件の変更を受け付ける変更受付ステップをさらに含んでもよい。
【００１５】
この構成によれば、クーポン利用判断ステップにおいてクーポンが利用不可であると判断された場合、クーポンを利用するために個人情報提供条件の変更が受け付けられる。したがって、ユーザは、クーポンを利用するために個人情報提供条件を変更することができる。
【００１６】
また、上記の情報提供方法において、前記クーポン通知条件は、前記クーポンを利用した１のユーザの前記視聴履歴を含む第１の個人情報を提供することを示す第１のクーポン通知条件と、前記クーポンを利用した複数のユーザの前記視聴履歴に対して統計処理を施した統計視聴履歴を含む第２の個人情報を提供することを示す第２のクーポン通知条件とを含み、前記クーポンは、前記第１のクーポン通知条件に対応する第１のクーポンと、前記第２のクーポン通知条件に対応する第２のクーポンとを含み、前記クーポン利用判断ステップは、前記個人情報提供条件が前記第１のクーポン通知条件を満たす場合、前記第１のクーポンが利用可能であると判断し、前記個人情報提供条件が前記第２のクーポン通知条件を満たす場合、前記第２のクーポンが利用可能であると判断し、前記個人情報提供条件が前記第１のクーポン通知条件及び前記第２のクーポン通知条件を満たさない場合、前記第１のクーポン及び前記第２のクーポンのいずれも利用不可であると判断してもよい。
【００１７】
この構成によれば、クーポン通知条件は、クーポンを利用した１のユーザの視聴履歴を含む第１の個人情報を提供することを示す第１のクーポン通知条件と、クーポンを利用した複数のユーザの視聴履歴に対して統計処理を施した統計視聴履歴を含む第２の個人情報を提供することを示す第２のクーポン通知条件とを含む。クーポンは、第１のクーポン通知条件に対応する第１のクーポンと、第２のクーポン通知条件に対応する第２のクーポンとを含む。そして、個人情報提供条件が第１のクーポン通知条件を満たす場合、第１のクーポンが利用可能であると判断され、個人情報提供条件が第２のクーポン通知条件を満たす場合、第２のクーポンが利用可能であると判断され、個人情報提供条件が第１のクーポン通知条件及び第２のクーポン通知条件を満たさない場合、第１のクーポン及び前記第２のクーポンのいずれも利用不可であると判断される。
【００１８】
したがって、クーポンを利用した１のユーザの視聴履歴を含む第１の個人情報の提供が許可されている場合、第１のクーポンをユーザに提示することができるとともに、第１の個人情報を広告主に提供することができ、クーポンを利用した複数のユーザの視聴履歴に対して統計処理を施した統計視聴履歴を含む第２の個人情報の提供が許可されている場合、第２のクーポンをユーザに提示することができるとともに、第２の個人情報を広告主に提供することができる。
【００１９】
また、上記の情報提供方法において、前記個人情報は、前記ユーザの年齢、性別、家族構成、居住地域及び趣味のうちの少なくとも１つを示すユーザ属性情報をさらに含み、前記クーポン通知条件は、前記ユーザ属性情報を提供することを示す第３のクーポン通知条件を含み、前記クーポン利用判断ステップは、前記個人情報提供条件が前記第３のクーポン通知条件を満たす場合、前記クーポンを利用可能であると判断してもよい。
【００２０】
この構成によれば、個人情報は、ユーザの年齢、性別、家族構成、居住地域及び趣味のうちの少なくとも１つを示すユーザ属性情報をさらに含む。クーポン通知条件は、ユーザ属性情報を提供することを示す第３のクーポン通知条件を含む。そして、個人情報提供条件が第３のクーポン通知条件を満たす場合、クーポンが利用可能であると判断される。
【００２１】
したがって、ユーザの年齢、性別、家族構成、居住地域及び趣味のうちの少なくとも１つを示すユーザ属性情報の提供が許可されている場合、クーポンをユーザに提示することができるとともに、ユーザ属性情報を広告主に提供することができる。
【００２２】
また、上記の情報提供方法において、前記個人情報は、前記ユーザが所有する家電機器の使用履歴をさらに含み、前記クーポン通知条件は、前記家電機器の使用履歴を提供することを示す第４のクーポン通知条件を含み、前記クーポン利用判断ステップは、前記個人情報提供条件が前記第４のクーポン通知条件を満たす場合、前記クーポンを利用可能であると判断してもよい。
【００２３】
この構成によれば、個人情報は、ユーザが所有する家電機器の使用履歴をさらに含む。クーポン通知条件は、家電機器の使用履歴を提供することを示す第４のクーポン通知条件を含む。そして、個人情報提供条件が第４のクーポン通知条件を満たす場合、クーポンが利用可能であると判断される。
【００２４】
したがって、前記ユーザが所有する家電機器の使用履歴の提供が許可されている場合、クーポンをユーザに提示することができるとともに、家電機器の使用履歴を広告主に提供することができる。
【００２５】
本発明の他の局面に係る情報提供システムは、クーポンを配信するクーポン配信端末と、前記クーポン配信端末によって配信された前記クーポンを受信するクーポン受信端末とを備える情報提供システムであって、前記クーポン配信端末は、ユーザが一定期間に視聴した番組の視聴履歴を含む個人情報を取得する個人情報取得部と、前記個人情報を前記ユーザ以外の第３者に提供する条件を示す個人情報提供条件を取得する個人情報提供条件取得部と、前記番組に含まれる広告を視聴したユーザが利用可能であるクーポンと、前記クーポンを通知する条件を示すクーポン通知条件とを取得するクーポン通知条件取得部と、前記視聴履歴に基づいて前記ユーザが視聴した前記広告に対応する前記クーポンを特定し、前記個人情報提供条件と前記クーポン通知条件とに基づいて、特定した前記クーポンが利用可能であるか否かを判断するクーポン利用判断部と、前記クーポン利用判断部によって利用可能であると判断された前記クーポンを前記ユーザに通知するクーポン通知部と、前記クーポン通知部によって通知された前記クーポンが前記ユーザによって利用された後、前記個人情報提供条件に応じた前記個人情報を提供する個人情報提供部と、を備え、前記クーポン受信端末は、前記クーポン通知部によって通知された前記クーポンを受信する受信部と、前記受信部によって受信された前記クーポンを表示する表示部と、を備える。
【００２６】
この構成によれば、クーポン配信端末の個人情報取得部によって、ユーザが一定期間に視聴した番組の視聴履歴を含む個人情報が取得される。クーポン配信端末の個人情報提供条件取得部によって、個人情報をユーザ以外の第３者に提供する条件を示す個人情報提供条件が取得される。クーポン配信端末のクーポン通知条件取得部によって、番組に含まれる広告を視聴したユーザが利用可能であるクーポンと、クーポンを通知する条件を示すクーポン通知条件とが取得される。クーポン配信端末のクーポン利用判断部によって、視聴履歴に基づいてユーザが視聴した広告に対応するクーポンが特定され、個人情報提供条件とクーポン通知条件とに基づいて、特定されたクーポンが利用可能であるか否かが判断される。クーポン配信端末のクーポン通知部によって、利用可能であると判断されたクーポンがユーザに通知される。クーポン配信端末の個人情報提供部によって、通知されたクーポンがユーザによって利用された後、個人情報提供条件に応じた個人情報が提供される。クーポン受信端末の受信部によって、通知されたクーポンが受信される。クーポン受信端末の表示部によって、受信されたクーポンが表示される。
【００２７】
したがって、視聴履歴が提供された広告主は、クーポンを利用したユーザが、どの番組に含まれる広告を視聴したかを知ることができ、より広告効果が高い番組に広告を放送することができる。
【００２８】
本発明の他の局面に係るサーバは、ユーザが一定期間に視聴した番組の視聴履歴を含む個人情報を取得する個人情報取得部と、前記個人情報を前記ユーザ以外の第３者に提供する条件を示す個人情報提供条件を取得する個人情報提供条件取得部と、前記番組に含まれる広告を視聴したユーザが利用可能であるクーポンと、前記クーポンを通知する条件を示すクーポン通知条件とを取得するクーポン通知条件取得部と、前記視聴履歴に基づいて前記ユーザが視聴した前記広告に対応する前記クーポンを特定し、前記個人情報提供条件と前記クーポン通知条件とに基づいて、特定した前記クーポンが利用可能であるか否かを判断するクーポン利用判断部と、前記クーポン利用判断部によって利用可能であると判断された前記クーポンを前記ユーザに通知するクーポン通知部と、前記クーポン通知部によって通知された前記クーポンが前記ユーザによって利用された後、前記個人情報提供条件に応じた前記個人情報を提供する個人情報提供部と、を備える。
【００２９】
この構成によれば、個人情報取得部によって、ユーザが一定期間に視聴した番組の視聴履歴を含む個人情報が取得される。個人情報提供条件取得部によって、個人情報をユーザ以外の第３者に提供する条件を示す個人情報提供条件が取得される。クーポン通知条件取得部によって、番組に含まれる広告を視聴したユーザが利用可能であるクーポンと、クーポンを通知する条件を示すクーポン通知条件とが取得される。クーポン利用判断部によって、視聴履歴に基づいてユーザが視聴した広告に対応するクーポンが特定され、個人情報提供条件とクーポン通知条件とに基づいて、特定されたクーポンが利用可能であるか否かが判断される。クーポン通知部によって、利用可能であると判断されたクーポンがユーザに通知される。個人情報提供部によって、通知されたクーポンがユーザによって利用された後、個人情報提供条件に応じた個人情報が提供される。
【００３０】
したがって、視聴履歴が提供された広告主は、クーポンを利用したユーザが、どの番組に含まれる広告を視聴したかを知ることができ、より広告効果が高い番組に広告を放送することができる。
【発明の効果】
【００３１】
本発明によれば、視聴履歴が提供された広告主は、クーポンを利用したユーザが、どの番組に含まれる広告を視聴したかを知ることができ、より広告効果が高い番組に広告を放送することができる。
【図面の簡単な説明】
【００３２】
【図１】本発明の実施の形態における広告効果通知サービスの全体の流れを説明するための図である。
【図２】広告主からクーポン管理会社に送られるクーポン登録情報の一例を示す図である。
【図３】クーポン配信条件が統計視聴履歴提供であるクーポン登録情報に含まれるクーポン画像の一例を示す図である。
【図４】クーポン配信条件が個人視聴履歴提供であるクーポン登録情報に含まれるクーポン画像の一例を示す図である。
【図５】クーポン管理会社が複数の広告主から送られたクーポン登録情報を管理するためのクーポン管理情報テーブルの一例を示す図である。
【図６】本実施の形態で実現されるサービスを利用するユーザを管理するためのユーザ管理情報テーブルの一例を示す図である。
【図７】ユーザ端末から送信される番組視聴履歴の一例を示す図である。
【図８】クーポン管理会社で管理される番組視聴履歴の一例を示す図である。
【図９】ユーザにクーポンを提示するために作成されるクーポンリストの一例を示す図である。
【図１０】ユーザに提示されるクーポン一覧画面の一例を示す図である。
【図１１】視聴履歴利用条件を変更するための視聴履歴利用条件変更画面の一例を示す図である。
【図１２】提示されるクーポン画面の一例を示す図である。
【図１３】提示されるクーポン画面の一例を示す図である。
【図１４】発行したクーポンを管理するためのクーポン発行管理情報テーブルの一例を示す図である。
【図１５】図１４に示すクーポン発行管理情報テーブルに対してクーポン発行管理情報が追加された例を示す図である。
【図１６】図１５に示すクーポン発行管理情報テーブルに対してクーポン発行管理情報が追加された例を示す図である。
【図１７】図１６に示すクーポン発行管理情報テーブルに対してクーポン利用情報が更新された例を示す図である。
【図１８】本実施の形態における広告効果通知システムの構成の一例を示すブロック図である。
【図１９】本実施の形態におけるクーポン発行処理の一例を示す第１のフローチャートである。
【図２０】本実施の形態におけるクーポン発行処理の一例を示す第２のフローチャートである。
【図２１】図１９のステップＳ５におけるクーポンリスト作成処理の一例を示すフローチャートである。
【図２２】クーポンの利用に応じてユーザの視聴履歴を通知する視聴履歴通知処理の一例を示すフローチャートである。
【図２３】統計視聴履歴の一例を示す図である。
【図２４】図２３とは異なる番組の統計視聴履歴の一例を示す図である。
【図２５】本実施の形態における情報提供方法の一例を示すフローチャートである。
【発明を実施するための形態】
【００３３】
以下添付図面を参照しながら、本発明の実施の形態について説明する。なお、以下の実施の形態は、本発明を具体化した一例であって、本発明の技術的範囲を限定するものではない。
【００３４】
本実施の形態における広告効果通知システムは、ユーザが視聴したＣＭに対応するクーポンをユーザに配信し、クーポンを利用したユーザの視聴履歴を、クーポンを発行した広告主にフィードバックする。
【００３５】
図１は、本発明の実施の形態における広告効果通知サービスの全体の流れを説明するための図である。広告効果通知サービスは、ＣＭ映像及びクーポンを提供する広告主と、ＣＭ映像を放送する放送局と、クーポンを配信するクーポン管理会社と、ＣＭを視聴し、視聴したＣＭに対応するクーポンを取得して利用する視聴者（ユーザ）とから構成される。
【００３６】
まず、クーポン管理会社のサーバは、番組を視聴するユーザに対して、クーポン情報を提示する代わりに視聴履歴の取得許可を得る（図１の（１））。この際、クーポン管理会社のサーバは、ユーザが視聴したＣＭの広告主に対する視聴履歴の利用条件のデフォルト値、視聴履歴を取得する機器、及びクーポンを配信する機器に関する情報をユーザに設定させてもよい。
【００３７】
そして、広告主のサーバは、放送局に対して広告を放送する時間帯（以下、広告枠を呼ぶ）を指定するとともに、ＣＭ映像を放送局に渡す（図１の（２））。
【００３８】
次に、広告主のサーバは、広告枠を表す広告枠情報と、広告を視聴したユーザに配信するクーポンを表すクーポン情報と、クーポンの配信条件とをクーポン管理会社のサーバに渡す（図１の（３））。
【００３９】
なお、本実施の形態では、広告主のサーバが広告枠情報をクーポン管理会社のサーバに渡しているが、クーポン管理会社のサーバは、実際に放送された番組を解析して広告主のＣＭが放送された広告枠又は放送された時刻を取得してもよい。また、クーポン管理会社のサーバは、番組を解析して広告主のＣＭが放送された広告枠又は放送された時刻を取得している会社のサーバから、広告枠情報を取得してもよい。
【００４０】
次に、放送局は、広告主が指定した広告枠の時間になると番組映像及びＣＭ映像を放送する（図１の（４））。
【００４１】
そして、ユーザが、放送された番組映像及びＣＭ映像をリアルタイムに視聴した場合、テレビは、クーポン管理会社のサーバに視聴履歴を送信する（図１の（５））。または、ユーザが、レコーダに録画された番組映像及びＣＭ映像を視聴した場合、レコーダは、クーポン管理会社のサーバに視聴履歴を送信する。
【００４２】
次に、クーポン管理会社のサーバは、ユーザが視聴したＣＭ映像に対応するクーポン情報及びクーポン配信条件を情報端末、テレビ又はレコーダに提示し、情報端末、テレビ又はレコーダは、クーポン情報及びクーポン配信条件を表示する。情報端末、テレビ又はレコーダは、ユーザによる視聴履歴の利用条件の設定を受け付け、受け付けた視聴履歴の利用条件をクーポン管理会社のサーバに設定する（図１の（６））。
【００４３】
なお、視聴履歴の利用条件のデフォルト値が図１の（１）で設定されている場合には、図１の（１）で設定された視聴履歴の利用条件のデフォルト値を視聴履歴の利用条件としてユーザが視聴したＣＭ映像に対応するクーポン情報及びクーポン配信条件の判定に利用してもよい。
【００４４】
次に、クーポン管理会社のサーバは、視聴履歴の利用条件に応じたクーポンをユーザの情報端末に発行する（図１の（７））。なお、情報端末は、例えばスマートフォン又は携帯電話機などである。
【００４５】
次に、ユーザは、広告主の店舗又はクーポンが利用可能な店舗にてクーポンを提示する（図１の（８））。
【００４６】
次に、広告主のサーバは、クーポン利用履歴をクーポン管理会社のサーバに送信する（図１の（９））。
【００４７】
次に、クーポン管理会社のサーバは、ユーザが設定した視聴履歴の利用条件に応じた視聴履歴を広告主のサーバに通知する（図１の（１０））。
【００４８】
ここで、クーポン配信条件とは、例えば視聴履歴の開示条件である。広告主は、視聴履歴の利用条件を設定する際に、個人が特定されない統計後の視聴履歴のみを提供すると設定したユーザには例えば５％割引のクーポンを渡し、全ての視聴履歴を提供すると設定したユーザには例えば１０％割引のクーポンを渡してもよい。このように、広告主は、各クーポンに配信条件を設定することができる。また、ユーザも、クーポン情報を見て、視聴履歴の利用条件を設定できる。
【００４９】
図２は、広告主からクーポン管理会社に送られるクーポン登録情報の一例を示す図である。
【００５０】
クーポン登録情報２１は、広告主名及び商品名を含む。広告主名とは、広告主を識別するための情報であり、ＣＭの広告主の名称である。商品名とは、ＣＭで紹介する商品を識別するための情報であり、商品の名称である。
【００５１】
また、クーポン登録情報２１は、ＣＭを放送する広告枠を指定するための情報として、番組名、放送局名及び放送日時を含んでもよい。番組名とは、ＣＭをどの番組の放送中又はどの番組の放送前後に放送するかを識別するための番組の名称である。放送局名とは、ＣＭを放送する放送局の名称である。放送日時とは、ＣＭを放送する時間帯である。ここでは、ＣＭを放送する番組の放送開始時刻から放送終了時刻を放送日時としている。
【００５２】
また、クーポン登録情報２１は、クーポン配信条件、クーポン情報及びクーポン画像を含んでもよい。クーポン情報とは、クーポンにより得られる特典を示す情報である。
【００５３】
クーポン配信条件とは、ＣＭを視聴したユーザに対してクーポンを配信するか否かを判断するための条件である。例えば、クーポン配信条件が「なし」である場合、クーポンが、無条件に配信されるクーポンであることを示し、クーポンが、ＣＭを視聴した全てのユーザに配信されるクーポンであることを示す。クーポン配信条件が「統計視聴履歴提供」である場合、クーポンが、ＣＭを視聴したユーザのうち統計視聴履歴を提供するユーザに配信されるクーポンであることを示す。クーポン配信条件が「個人視聴履歴提供」である場合、クーポンが、ＣＭを視聴したユーザのうち個人視聴履歴を提供するユーザに配信されるクーポンであることを示す。クーポン情報は、クーポン配信条件に応じて異なる。
【００５４】
ここで、本実施の形態において、統計視聴履歴とは、複数のユーザの視聴履歴を統計化したものであり、個人の視聴履歴が特定できないデータである。また、個人視聴履歴とは、１のユーザの視聴履歴のデータであり、個人の視聴履歴が特定可能なデータである。
【００５５】
統計視聴履歴又は個人視聴履歴を取得した広告主は、クーポン配信条件が「統計視聴履歴提供」又は「個人視聴履歴提供」であるクーポンに対して、クーポン配信条件が「なし」であるクーポン以上に魅力的な特典を付与することで、ユーザの統計視聴履歴又は個人視聴履歴の提供を促進することができる。
【００５６】
なお、クーポン配信条件は、提供する視聴履歴の期間を含んでもよく、例えば、１日の視聴履歴、１週間の視聴履歴又は１ヶ月間の視聴履歴のいずれを提供するかを含んでもよい。
【００５７】
また、クーポン配信条件は、ユーザの年齢、性別、家族構成、居住地域及び趣味のうちの少なくとも１つを示すユーザ属性情報を提供するか否かを含んでもよい。
【００５８】
さらに、クーポン配信条件は、前記ユーザが所有する家電機器の使用履歴を提供するか否かを含んでもよい。
【００５９】
図３は、クーポン配信条件が統計視聴履歴提供であるクーポン登録情報に含まれるクーポン画像の一例を示す図であり、図４は、クーポン配信条件が個人視聴履歴提供であるクーポン登録情報に含まれるクーポン画像の一例を示す図である。
【００６０】
クーポン画像とは、ユーザがクーポンを所有していることを可視化したり、店舗でクーポンを提示したりするためにユーザに配信する画像データである。あるＣＭを視聴したユーザに対して、クーポン配信条件により利用可能なクーポンを選択できるようにするため、クーポン登録情報は、１つの放送枠に対して複数のクーポン配信条件、複数のクーポン情報及び複数のクーポン画像を含んでもよい。
【００６１】
なお、図２には記載していないが、クーポン登録情報は、配信されたクーポンがいつまで利用可能であるかを示すクーポン有効期限を含んでもよい。
【００６２】
図５は、クーポン管理会社が複数の広告主から送られたクーポン登録情報を管理するためのクーポン管理情報テーブルの一例を示す図である。クーポン管理情報テーブル３０は、広告を識別するための広告主名、及びクーポンによる特典の対象となる商品を識別するための商品名を含んでもよい。また、クーポン管理情報テーブル３０は、ＣＭを放送する広告枠を指定するための情報として、番組名、放送局名及び放送日時を含んでもよい。また、クーポン管理情報テーブル３０は、クーポン配信条件、クーポン情報、クーポンＩＤ及びクーポンＵＲＬ（Ｕｎｉｆｏｒｍ  Ｒｅｓｏｕｒｃｅ  Ｌｏｃａｔｏｒ）を含んでもよい。
【００６３】
広告主名、商品名、番組名、放送局名、放送日時、クーポン配信条件及びクーポン情報は、クーポン登録情報と同様であるため、説明を省略する。クーポンＩＤとは、各クーポンを識別するための識別子である。クーポンＵＲＬとは、クーポン画像が保存されているＵＲＬである。
【００６４】
クーポン管理情報テーブル３０は、１つ以上のクーポン管理情報３１を含み、クーポン管理情報３１は、１つ以上のクーポン配信情報３２，３３を含む。クーポン管理情報は、広告主名、商品名、番組名、放送局名、放送日時及びクーポン配信情報を含む。クーポン配信情報は、クーポン配信条件、クーポン情報、クーポンＩＤ及びクーポンＵＲＬを含む。
【００６５】
図６は、本実施の形態で実現されるサービスを利用するユーザを管理するためのユーザ管理情報テーブルの一例を示す図である。ユーザ管理情報テーブル４０は、ユーザＩＤを含む。ユーザＩＤとは、ユーザを一意に識別するための識別子である。
【００６６】
ユーザ管理情報テーブル４０は、視聴履歴取得機器ＩＤ、クーポン配信機器ＩＤ及び視聴履歴利用条件基本設定を含んでもよい。視聴したＣＭに対応するクーポンを配信するためには、ユーザがどのＣＭを視聴したかという情報が必要である。そのため、クーポン管理会社のサーバは、予めユーザから視聴履歴の取得許可を得る。クーポン管理会社のサーバは、視聴履歴を取得する機器、クーポンを配信する機器、及びどのような視聴履歴を広告主に提供するかという利用条件を予めユーザに登録させる。視聴履歴を取得する機器とは、例えばテレビ、レコーダ又は地上デジタルテレビ放送を受信する機能を有する情報端末である。クーポンを配信する機器とは、例えばスマートフォン、携帯電話又はタブレットコンピュータである。
【００６７】
視聴履歴取得機器ＩＤとは、視聴履歴を取得する機器を一意に識別するための識別子である。クーポン配信機器ＩＤとは、クーポンを配信する機器を一意に識別するための識別子である。クーポン管理会社のサーバは、ユーザＩＤ、視聴履歴取得機器ＩＤ及びクーポン配信機器ＩＤを管理することにより、視聴履歴を取得した場合にどのユーザの視聴履歴であるかを判断することができ、また、取得した視聴履歴に対応したクーポンを配信する機器を判断することができる。
【００６８】
視聴履歴利用条件基本設定とは、どのような内容のユーザの視聴履歴を広告主に提供するかを示す利用条件である。クーポン管理会社は、視聴したＣＭに対応するクーポンを配信するためにユーザから予め許諾を得て視聴履歴を取得しているが、取得した視聴履歴は個人情報であり、個人情報保護の観点から、取得した視聴履歴をユーザの許可なく広告主に通知することはできない。そのため、広告主への視聴履歴提供条件についてもユーザに許諾を得る必要がある。
【００６９】
視聴履歴利用条件基本設定にはユーザが選択した値が入力される。例えば、「視聴履歴提供不可」は、視聴履歴の広告主への提供を許可しないことを示す。「統計視聴履歴提供可」は、個人視聴履歴の広告主への提供を許可しないが、複数のユーザの視聴履歴を統計化した個人が特定できない視聴履歴であれば広告主への提供を許可することを示す。「個人視聴履歴提供可」は、個人の視聴履歴の広告主への提供を許可することを示す。
【００７０】
ユーザ管理情報テーブル４０は、１つ以上のユーザ管理情報４１から構成される。ユーザ管理情報は、視聴履歴取得機器ＩＤ、クーポン配信機器ＩＤ及び視聴履歴利用条件基本設定を含む。
【００７１】
図７は、ユーザ端末から送信される番組視聴履歴の一例を示す図であり、図８は、クーポン管理会社で管理される番組視聴履歴の一例を示す図である。番組視聴履歴は、テレビ、ハードディスクレコーダ、又は、テレビ又はハードディスクレコーダを操作するスマートフォン等のリコモンから取得される。番組視聴履歴５０及び番組視聴履歴５４は、番組を特定するための情報を含む。番組視聴履歴は、例えば、ユーザＩＤ、放送局名、番組名及び放送日時を含む。視聴履歴とは、一定期間のうちに、視聴者がどの番組を見たかを示す情報である。なお、一定期間とは、例えば、一日、一週間又は一ヶ月などである。
【００７２】
放送局名は、番組を放送している放送局の名称である。番組名は、放送された番組のタイトルである。放送日時は、番組が放送された日時である。本実施の形態では、放送局名と番組名と放送日時との組み合わせで番組を識別することを想定している。ユーザが視聴した番組が識別できればよいので、放送局と番組名と放送日時との組合せではなく、番組をユニークに識別できる番組識別子などを利用してもよい。
【００７３】
なお、複数のユーザの視聴履歴を管理するため、番組視聴履歴は、どのユーザの視聴履歴であるかを示すユーザＩＤを含んでもよい。番組視聴履歴５０は、１人のユーザの視聴履歴であり、番組視聴履歴５４は、複数のユーザの番組視聴履歴を管理するテーブルである。番組視聴履歴５０及び番組視聴履歴５４は、１つ以上の視聴履歴５１，５２，５３から構成される。
【００７４】
図９は、ユーザにクーポンを提示するために作成されるクーポンリストの一例を示す図である。クーポン管理会社のサーバは、ユーザの視聴履歴を参照し、ユーザに提示すべきクーポンをクーポン管理情報から抽出して列挙することにより、クーポンリストを作成する。クーポンリストは、クーポン管理情報から抽出され、例えば、広告主名、商品名、クーポン配信条件、クーポン情報、クーポンＩＤ及びクーポンＵＲＬを含む。広告主名、商品名、クーポン配信条件、クーポン情報、クーポンＩＤ及びクーポンＵＲＬについては、クーポン管理情報テーブルと同様であるため、説明を省略する。クーポンリストは、利用可否情報を含んでもよい。利用可否情報とは、ユーザ管理情報テーブル４０で管理されている当該ユーザの視聴履歴利用条件基本設定において当該クーポンが利用可能であるか否かを示す情報である。
【００７５】
図１０は、ユーザに提示されるクーポン一覧画面の一例を示す図である。クーポン一覧画面７０には、ユーザがクーポンの内容を把握できるように、例えば、広告主名、商品名、クーポン情報及び利用可否情報などの情報を表示する。また、クーポン一覧画面７０には、クーポンの発行を指示するため、クーポン発行指示ボタン７１，７２などのボタンが配置されている。
【００７６】
クーポン発行指示ボタン７１は、クーポンの発行を受け付けるためのボタンである。また、クーポン発行指示ボタン７２は、クーポンを発行することができないため、視聴履歴利用条件を変更した後、クーポンの発行を受け付けるためのボタンである。
【００７７】
図１１は、視聴履歴利用条件を変更するための視聴履歴利用条件変更画面の一例を示す図である。例えば、図１０において、ユーザが「ＸＸ美術館」の「入場料２０％オフ」のクーポン発行を指示した場合、すなわち、ユーザがクーポン発行指示ボタン７２を押下した場合、クーポン配信条件が「個人視聴履歴データ提供」であるため、現行のユーザの視聴履歴利用条件基本設定ではクーポンを利用できない。そのため、クーポン発行指示ボタン７２が押下された場合、ユーザの現在の視聴履歴利用条件を変更するか否かを確認するための視聴履歴利用条件変更画面７３が表示される。
【００７８】
視聴履歴利用条件変更画面７３において、ユーザは、現在の視聴履歴利用条件を変更するか否かを入力する。現在の視聴履歴利用条件を変更する指示が入力された場合、視聴履歴利用条件が変更される。一方、現在の視聴履歴利用条件を変更しない指示が入力された場合、クーポン一覧画面７０が表示される。
【００７９】
図１２及び図１３は、提示されるクーポン画面の一例を示す図である。クーポン画面７４，７５は、例えば、商品名、及び特典内容を示すクーポン情報を含む。クーポンを提示された広告主がクーポン利用履歴をクーポン管理会社に通知する際に、クーポンを容易に識別可能とするため、クーポン管理会社のサーバは、本実施の形態のように広告主から取得したクーポン画像にクーポンＩＤ又はクーポンを発行したユーザのユーザＩＤに関する情報を追加してもよい。また、クーポン画面７４，７５は、クーポンの有効期限を含んでもよい。
【００８０】
図１４は、発行したクーポンを管理するためのクーポン発行管理情報テーブルの一例を示す図である。図１５は、図１４に示すクーポン発行管理情報テーブルに対してクーポン発行管理情報が追加された例を示す図である。図１６は、図１５に示すクーポン発行管理情報テーブルに対してクーポン発行管理情報が追加された例を示す図である。図１７は、図１６に示すクーポン発行管理情報テーブルに対してクーポン利用情報が更新された例を示す図である。
【００８１】
クーポン発行管理情報テーブルは、ユーザＩＤ及びクーポンＩＤを含む。ユーザＩＤとは、クーポンを発行したユーザのユーザＩＤである。クーポンＩＤは、発行したクーポンを識別するための識別子である。また、クーポン発行管理情報テーブルはクーポン発行日を含んでもよい。クーポン発行日とは、クーポンを発行した日である。クーポン発行管理情報テーブルは、クーポン利用情報を含んでもよい。クーポン利用情報とは、発行されたクーポンがユーザによって利用されたか否かを示す情報である。クーポン利用情報としては、利用回数又は利用日時などがある。本実施の形態では、クーポン利用情報は、クーポンが利用された日を示している。なお、「−」と記載されているクーポン利用情報は、クーポンが未使用であることを示す。
【００８２】
図１４、図１５、図１６及び図１７には記載していないが、クーポン発行管理情報テーブルは、クーポン有効期限を含んでもよい。クーポン有効期限とは、クーポンを利用することができる有効期限である。広告主が設定した日時を有効期限としてもよいし、発行から一定期間経過後を有効期限としてもよい。
【００８３】
クーポン発行管理情報テーブルは、複数のクーポン発行管理情報から構成される。図１５に示すクーポン発行管理情報テーブル８１は、図１４に示すクーポン発行管理情報テーブル８０が更新され、クーポン発行管理情報８２が追加された状態を示す。また、図１６に示すクーポン発行管理情報テーブル８３は、図１５に示すクーポン発行管理情報テーブル８１が更新され、クーポン発行管理情報８４が追加された状態を示す。さらに、図１７に示すクーポン発行管理情報テーブル８５は、図１６に示すクーポン発行管理情報テーブル８３のクーポン発行管理情報８２及びクーポン発行管理情報８４に対応するクーポンが店舗で使用されクーポン利用情報が更新された状態を示す。
【００８４】
本実施の形態では、広告主の店舗でクーポンが利用される際に、いつだれが発行したどのクーポンであるかが容易に分かるよう、ユーザＩＤ及びクーポンＩＤの情報が表示されたクーポン画像が発行され、クーポン発行管理情報テーブルによりユーザＩＤ及びクーポンＩＤが管理されるが、これに限定されない。例えば、クーポン管理会社のサーバは、クーポンの発行が指示される毎に、ユニークなクーポン発行識別子を付与してクーポン画像を発行し、クーポン発行管理情報テーブルにてユーザＩＤ、クーポンＩＤ及びクーポン発行識別子を対応付けて管理してもよい。これにより、ユーザＩＤ及びクーポンＩＤを提示する必要がなくなる。
【００８５】
また、クーポン管理会社のサーバは、ユーザＩＤ及びクーポンＩＤをバーコード又はＱＲコード（登録商標）に変換し、バーコード又はＱＲコードをクーポン画像に付加してもよい。
【００８６】
図１８は、本実施の形態における広告効果通知システムの構成の一例を示すブロック図である。広告効果通知システムは、クーポン配信端末１００、視聴履歴取得端末２００、クーポン受信端末３００及びクーポン利用履歴配信端末４００を備える。
【００８７】
クーポン配信端末１００は、視聴履歴取得端末２００から視聴履歴を取得する。また、クーポン配信端末１００は、視聴履歴に応じたクーポンをクーポン受信端末３００に発行する。また、クーポン配信端末１００は、発行したクーポンの利用履歴をクーポン利用履歴配信端末４００から取得する。また、クーポン配信端末１００は、クーポンを利用したユーザの視聴履歴をクーポン利用履歴配信端末４００に通知する。クーポン配信端末１００は、例えば、クーポン管理会社が運営するサーバで構成される。クーポン配信端末１００は、クーポン情報管理部１０１、視聴履歴管理部１０２、視聴履歴利用条件管理部１０３、クーポン発行管理部１０５、クーポン利用履歴管理部１０６及び視聴履歴送信部１０７を備える。
【００８８】
クーポン情報管理部１０１は、広告主から取得したクーポン登録情報をクーポン管理情報テーブルに記憶して管理する。クーポン情報管理部１０１は、クーポン管理情報テーブルを記憶している。広告主からのクーポン登録情報の取得方法は、本発明の主眼ではないため、詳細には説明しない。例えば、広告主は、クーポン管理会社にクーポン登録情報を電子データとして送信し、クーポン管理会社は、受信したクーポン登録情報を自動又は手動でクーポン管理情報テーブルに追加してもよい。また、広告主は、オフラインでクーポン登録情報をクーポン管理会社に渡し、クーポン管理会社のスタッフが、クーポン登録情報をクーポン管理情報テーブルに入力してもよい。さらに、広告主がオンラインで直接、クーポン登録情報をクーポン管理情報テーブルに入力してもよい。
【００８９】
視聴履歴管理部１０２は、視聴履歴取得端末２００の視聴履歴送信部２０２から視聴履歴を取得して番組視聴履歴として管理する。視聴履歴管理部１０２は、番組視聴履歴を記憶している。視聴履歴管理部１０２は、クーポン発行管理部１０５から視聴履歴取得要求を受信すると、指定されたユーザの視聴履歴のみを番組視聴履歴から抽出してクーポン発行管理部１０５に出力する。視聴履歴管理部１０２は、クーポン発行管理部１０５から視聴履歴取得要求を受信したタイミングで、指示されたユーザの視聴履歴を視聴履歴取得端末２００から取得してもよいし、一定のタイミング（例えば１日１回深夜０時など）でサービスに加入している全てのユーザの視聴履歴を視聴履歴取得端末２００から取得してもよい。
【００９０】
視聴履歴利用条件管理部１０３は、ユーザが設定した視聴履歴の利用条件をユーザ管理情報テーブルにより管理する。視聴履歴利用条件管理部１０３は、ユーザ管理情報テーブルを記憶している。
【００９１】
クーポン発行管理部１０５は、視聴履歴取得要求を視聴履歴管理部１０２に送信し、視聴履歴管理部１０２から視聴履歴を取得する。クーポン発行管理部１０５は、ユーザの視聴履歴からユーザが視聴したＣＭを判断してユーザに提示するクーポンを検索し、ユーザが設定した視聴履歴の利用条件の範囲内で発行可能なクーポンを発行し、発行したクーポンに対応するクーポン画像をクーポン受信端末３００に送信する。
【００９２】
クーポン利用履歴管理部１０６は、クーポン発行管理部１０５がクーポンを発行するとクーポンの発行履歴を管理する。クーポン利用履歴管理部１０６は、クーポン発行管理情報テーブルを記憶している。クーポン利用履歴管理部１０６は、クーポン発行管理部１０５によってクーポンが発行されると、発行されたクーポンに対応するクーポン発行管理情報をクーポン発行管理情報テーブルに記憶する。そして、クーポン利用履歴管理部１０６は、クーポン利用履歴配信端末４００からユーザによるクーポンの利用履歴（クーポン利用情報）を取得し、クーポン配信条件に応じてユーザの視聴履歴をクーポン利用履歴配信端末４００に送信するよう視聴履歴送信部１０７に指示する。
【００９３】
視聴履歴送信部１０７は、クーポンを利用したユーザの視聴履歴を示す個人視聴履歴、又は同じクーポンを利用した複数のユーザの視聴履歴を統計処理した統計視聴履歴をクーポン利用履歴配信端末４００に送信する。
【００９４】
視聴履歴取得端末２００は、視聴履歴を取得してクーポン配信端末１００に送信する。視聴履歴取得端末２００は、例えば、ユーザが視聴するテレビ、レコーダ又は情報端末で構成される。視聴履歴取得端末２００は、視聴履歴算出部２０１及び視聴履歴送信部２０２を備える。
【００９５】
視聴履歴算出部２０１は、ユーザがどの番組を視聴したかを取得する。視聴履歴取得端末２００がテレビ又は地上デジタルテレビ放送を受信することが可能な端末である場合、視聴履歴算出部２０１は、どの時間帯にどのチャンネルが視聴されていたかを示す情報を取得することで視聴履歴を取得可能である。視聴履歴取得端末２００がハードディスクレコーダである場合、視聴履歴算出部２０１は、どの時間帯のどのチャンネルで放送された番組が再生されたかを示す情報を取得することで視聴履歴を取得可能である。また、視聴履歴取得端末２００がテレビを遠隔操作するアプリケーションを実行可能な端末である場合、視聴履歴算出部２０１は、どの時間にどのチャンネルにチューニングしていたかを示す情報を取得することで視聴履歴を取得可能である。
【００９６】
視聴履歴送信部２０２は、視聴履歴算出部２０１によって取得された視聴履歴をクーポン配信端末１００に送信する。
【００９７】
クーポン受信端末３００は、クーポン配信端末１００からクーポンを取得する。クーポン受信端末３００は、例えば、スマートフォン、携帯電話又はタブレットコンピュータ等の持ち運び可能な情報端末で構成される。クーポン受信端末３００は、クーポン取得部３０１及び表示部３０２を備える。
【００９８】
クーポン取得部３０１は、クーポン配信端末１００によって発行されたクーポン画像を受信する。表示部３０２は、クーポン取得部３０１によって受信されたクーポン画像を表示する。図１８には記載していないが、クーポン受信端末３００は、クーポン画像として取得したクーポンを保存するためのクーポン画像保持部を備えてもよい。
【００９９】
クーポン利用履歴配信端末４００は、ユーザから提示されたクーポン画像を読み取る。クーポン利用履歴配信端末４００は、クーポン利用履歴をクーポン配信端末１００に送信する。クーポン利用履歴配信端末４００は、当該クーポンのクーポン配信条件に応じたユーザの視聴履歴を取得する。クーポン利用履歴配信端末４００は、例えば、広告主が運営するサーバ又は店舗に配置されたＰＯＳ（Ｐｏｉｎｔ  Ｏｆ  Ｓａｌｅ）レジスタで構成される。クーポン利用履歴配信端末４００は、クーポン読取部４０１、クーポン利用履歴送信部４０２及び視聴履歴取得部４０３を備える。
【０１００】
クーポン読取部４０１は、クーポン受信端末３００の表示部３０２に表示されているクーポン画像から、バーコードリーダ、ＱＲコードリーダ又は画像認識装置などを用いてクーポンを識別するための情報（ユーザＩＤ及びクーポンＩＤ）を取得する。
【０１０１】
クーポン利用履歴送信部４０２は、クーポンの利用履歴をクーポン配信端末１００に送信する。なお、クーポンの利用履歴は、例えば、クーポン読取部４０１によって読み取られたユーザＩＤ及びクーポンＩＤを含む。また、クーポンの利用履歴は、クーポンが利用された日時をさらに含んでもよい。
【０１０２】
視聴履歴取得部４０３は、クーポン配信端末１００から、クーポンを利用したユーザの視聴履歴を示す個人視聴履歴、又は同じクーポンを利用した複数のユーザの視聴履歴を統計処理した統計視聴履歴を受信する。
【０１０３】
なお、本実施の形態では、クーポン利用履歴配信端末４００は、視聴履歴取得部４０３を備えているが、本発明は特にこれに限定されず、クーポン利用履歴配信端末４００とは異なる端末が、視聴履歴取得部４０３を備えてもよい。
【０１０４】
図１９は、本実施の形態におけるクーポン発行処理の一例を示す第１のフローチャートであり、図２０は、本実施の形態におけるクーポン発行処理の一例を示す第２のフローチャートである。図１９及び図２０では、クーポン発行管理部１０５がユーザの視聴履歴を参照してユーザに提示すべきクーポンを検索し、検索したクーポンをクーポン一覧として提示し、クーポン一覧の中からユーザが選択したクーポンを発行するまでの手順の一例を示す。
【０１０５】
初めに、クーポン発行管理部１０５は、選択可能なクーポンを要求するクーポン一覧提示要求をクーポン受信端末３００から受信したか否かを判断する（ステップＳ１）。ここで、クーポン一覧提示要求を受信したと判断された場合（ステップＳ１でＹＥＳ）、ステップＳ２の処理に進み、クーポン一覧提示要求を受信していないと判断された場合（ステップＳ１でＮＯ）、クーポン一覧提示要求を受信するまで待機する。
【０１０６】
クーポン一覧提示要求を受信したと判断された場合、クーポン発行管理部１０５は、クーポン一覧提示要求を送信したクーポン受信端末３００の機器ＩＤをユーザ管理情報テーブルのクーポン配信機器ＩＤの列から検索し、クーポン一覧提示要求を送信したユーザを特定し、特定したユーザのユーザ管理情報を取得する（ステップＳ２）。
【０１０７】
次に、クーポン発行管理部１０５は、ステップＳ２で取得したユーザ管理情報のユーザＩＤに対応する視聴履歴を、特定したユーザの番組視聴履歴として視聴履歴管理部１０２から取得する（ステップＳ３）。クーポン発行管理部１０５は、視聴履歴取得要求を視聴履歴管理部１０２に送信する。視聴履歴取得要求には、ユーザＩＤが含まれる。
【０１０８】
視聴履歴管理部１０２は、クーポン発行管理部１０５から視聴履歴取得指示が入力されたタイミングで、特定したユーザのユーザ管理情報の視聴履歴取得機器ＩＤを参照し、視聴履歴取得機器ＩＤに対応する視聴履歴取得端末２００を特定し、特定した視聴履歴取得端末２００の視聴履歴送信部２０２から番組視聴履歴を取得してもよい。また、視聴履歴管理部１０２は、一定のタイミング（例えば１日１回深夜０時など）でユーザ管理情報テーブルに記載された全ての視聴履歴取得機器ＩＤに対応する視聴履歴取得端末２００の視聴履歴送信部２０２から番組視聴履歴を取得して、ユーザＩＤを付与して視聴履歴管理部１０２にて記憶してもよい。そして、視聴履歴管理部１０２は、クーポン発行管理部１０５から視聴履歴取得要求があった場合に、視聴履歴取得要求に含まれるユーザＩＤに対応する番組視聴履歴を読み出してクーポン発行管理部１０５へ送信してもよい。
【０１０９】
また、視聴履歴送信部２０２は、一定のタイミング又は視聴履歴が更新されたタイミングで、視聴履歴管理部１０２に番組視聴履歴を送信してもよい。視聴履歴管理部１０２は、ユーザ管理情報テーブルを参照してユーザを特定した上で、受信した番組視聴履歴にユーザＩＤを付与して視聴履歴管理部１０２にて記憶してもよい。そして、視聴履歴管理部１０２は、クーポン発行管理部１０５から視聴履歴取得要求があった場合に、視聴履歴取得要求に含まれるユーザＩＤに対応する番組視聴履歴を読み出してクーポン発行管理部１０５へ送信してもよい。
【０１１０】
次に、クーポン発行管理部１０５は、クーポン情報管理部１０１からクーポン管理情報テーブルを取得する（ステップＳ４）。
【０１１１】
次に、クーポン発行管理部１０５は、取得したユーザ管理情報、番組視聴履歴、及びクーポン管理情報テーブルから、ユーザに提示すべきクーポンリストを作成する（ステップＳ５）。なお、クーポンリストを作成するクーポンリスト作成処理の詳細については、後述する。
【０１１２】
次に、クーポン発行管理部１０５は、作成したクーポンリストを参照して、ユーザが選択可能なクーポンを表すクーポン一覧情報を作成し、作成したクーポン一覧情報を、クーポン一覧提示要求を送信したクーポン受信端末３００に送信する（ステップＳ６）。これにより、クーポン一覧がユーザに提示される。例えば、クーポン発行管理部１０５は、広告主名、商品名、クーポン情報及び利用可否情報をユーザが確認できるようなテキスト情報と、ユーザがクーポン一覧から選択したクーポンの発行を指示するボタンとが配置され、ボタンが押下されるとクーポン画像が表示されるようなスクリプトを含むＨＴＭＬ（Ｈｙｐｅｒ  Ｔｅｘｔ  Ｍａｒｋｕｐ  Ｌａｎｇｕａｇｅ）文書をクーポン一覧情報として作成する。そして、クーポン発行管理部１０５は、作成したクーポン一覧情報を、クーポン一覧提示要求を送信したクーポン受信端末３００に送信する。
【０１１３】
次に、クーポン発行管理部１０５は、クーポン受信端末３００からクーポン一覧提示終了指示を受信したか否かを判断する（ステップＳ７）。クーポン受信端末３００は、クーポン一覧の表示の終了がユーザにより指示された場合、クーポン一覧提示終了指示をクーポン発行管理部１０５へ送信する。ここで、クーポン一覧提示終了指示を受信したと判断された場合（ステップＳ７でＹＥＳ）、クーポン発行処理を終了し、クーポン一覧提示終了指示を受信していないと判断された場合（ステップＳ７でＮＯ）、ステップＳ８の処理に進む。
【０１１４】
ステップＳ７でクーポン一覧提示終了指示を受信していないと判断された場合、クーポン発行管理部１０５は、クーポン受信端末３００においてユーザによりクーポンが選択されたか否かを判断する（ステップＳ８）。クーポン受信端末３００は、クーポン一覧の中からユーザによって選択されたクーポンを特定する情報をクーポン発行管理部１０５へ送信し、クーポン発行管理部１０５は、ユーザによって選択されたクーポンを特定する情報をクーポン受信端末３００から受信することにより、クーポンが選択されたか否かを判断する。ここで、クーポンが選択されたと判断された場合（ステップＳ８でＹＥＳ）、ステップＳ９の処理に進み、クーポンが選択されていないと判断された場合（ステップＳ８でＮＯ）、ステップＳ７の処理に戻る。
【０１１５】
ステップＳ８でクーポンが選択されたと判断された場合、クーポン発行管理部１０５は、選択されたクーポンが利用可能であるか否かを判断する（ステップＳ９）。クーポン発行管理部１０５は、クーポンリストを参照し、ユーザによって選択されたクーポンに対応する利用可否情報の値が利用可能であることを示す値であるか否かを判断する。ここで、クーポンが利用不可であると判断された場合（ステップＳ９でＮＯ）、ステップＳ１０の処理に進み、クーポンが利用可能であると判断された場合（ステップＳ９でＹＥＳ）ステップＳ１１の処理に進む。
【０１１６】
ステップＳ９でクーポンが利用不可であると判断された場合、クーポン発行管理部１０５は、当該クーポンの広告主に対する視聴履歴利用条件の変更にユーザが同意したか否かを判断する（ステップＳ１０）。ここで、視聴履歴利用条件の変更にユーザが同意していないと判断された場合（ステップＳ１０でＮＯ）、ステップＳ６の処理に戻り、視聴履歴利用条件の変更にユーザが同意したと判断された場合（ステップＳ１０でＹＥＳ）、ステップＳ１１の処理に進む。例えば、クーポン受信端末３００は、広告主名、商品名、クーポン情報及び利用可否情報をユーザが確認できるようなテキスト情報と、ユーザがクーポン一覧から選択したクーポンの発行を指示するボタンとが配置され、ボタンが押下されるとクーポン画像が表示されるようなスクリプトを含むＨＴＭＬ文書を表示する。このとき、利用可否情報が「可」であるクーポンの発行を指示するボタンが選択された場合には、クーポン受信端末３００は、対応するクーポン画像をユーザに提示する。一方、利用可否情報が「不可」であるクーポンの発行を指示するボタンが選択された場合には、クーポン受信端末３００は、視聴履歴利用条件の変更に対してユーザが同意するか否かをユーザに選択させる画面を提示する。ユーザが視聴履歴利用条件の変更に同意した場合には、クーポン受信端末３００は、対応するクーポン画像をユーザに提示する。ユーザが視聴履歴利用条件の変更に同意しなかった場合には、クーポン受信端末３００は、クーポン一覧提示画面に戻るようなスクリプトを含むＨＴＭＬ文書を表示する。
【０１１７】
ステップＳ９でクーポンが利用可能であると判断された場合、又はステップＳ１０で視聴履歴利用条件の変更にユーザが同意したと判断された場合、クーポン発行管理部１０５は、クーポンを発行する（ステップＳ１１）。例えば、クーポン発行管理部１０５は、対応するクーポン画像をクーポン一覧提示要求のあったクーポン受信端末３００に送信する。クーポン受信端末３００は、受信したクーポン画像を表示する。
【０１１８】
次に、クーポン発行管理部１０５は、クーポン発行管理情報テーブルを更新し（ステップＳ１２）、ステップＳ６の処理に戻る。クーポン発行管理部１０５は、クーポンを発行したユーザのユーザＩＤ、発行したクーポンのクーポンＩＤ及びクーポン発行日をクーポン発行管理情報テーブルに追記する。
【０１１９】
以上の処理が、クーポン発行管理部１０５がユーザの視聴履歴を参照してユーザに提示すべきクーポンを検索し、検索したクーポンをクーポン一覧として提示し、ユーザが選択したクーポンを発行する処理である。
【０１２０】
図２１は、図１９のステップＳ５におけるクーポンリスト作成処理の一例を示すフローチャートである。
【０１２１】
始めに、クーポン発行管理部１０５は、変数Ｎに１を代入する（ステップＳ２１）。
【０１２２】
次に、クーポン発行管理部１０５は、ユーザの番組視聴履歴について、Ｎ番目の視聴履歴があるか否かを判断する（ステップＳ２２）。ここで、Ｎ番目の視聴履歴があると判断された場合（ステップＳ２２でＹＥＳ）、ステップＳ２３の処理に進み、Ｎ番目の視聴履歴がないと判断された場合（ステップＳ２２でＮＯ）、クーポンリスト作成処理を終了する。
【０１２３】
ステップＳ２２でＮ番目の視聴履歴があると判断された場合、クーポン発行管理部１０５は、ユーザの番組視聴履歴のうち、Ｎ番目の視聴履歴を取得する(ステップＳ２３)。
【０１２４】
次に、クーポン発行管理部１０５は、クーポン管理情報テーブルにＮ番目の視聴履歴に対応するクーポン管理情報があるか否かを判断する（ステップＳ２４）。ここで、Ｎ番目の視聴履歴に対応するクーポン管理情報があると判断された場合（ステップＳ２４でＹＥＳ）、ステップＳ２５の処理に進み、Ｎ番目の視聴履歴に対応するクーポン管理情報がないと判断された場合（ステップＳ２４でＮＯ）、ステップＳ３２の処理に進む。
【０１２５】
ステップＳ２４でＮ番目の視聴履歴に対応するクーポン管理情報があると判断された場合、クーポン発行管理部１０５は、Ｎ番目の視聴履歴に対応するクーポン管理情報を取得し、取得したクーポン管理情報をクーポンリストに追加する（ステップＳ２５）。
【０１２６】
次に、クーポン発行管理部１０５は、変数Ｍに１を代入する（ステップＳ２６）。
【０１２７】
次に、クーポン発行管理部１０５は、Ｎ番目の視聴履歴に対応するクーポン管理情報にＭ番目のクーポン配信情報があるか否かを判断する（ステップＳ２７）。ここで、Ｍ番目のクーポン配信情報があると判断された場合（ステップＳ２７でＹＥＳ）、ステップＳ２８の処理に進み、Ｍ番目のクーポン配信情報がないと判断された場合（ステップＳ２７でＮＯ）、ステップＳ３２の処理に進む。
【０１２８】
ステップＳ２７でＭ番目のクーポン配信情報があると判断された場合、クーポン発行管理部１０５は、ユーザの視聴履歴利用条件が、Ｍ番目のクーポン配信情報に含まれるクーポン配信条件を満たすか否かを判断する（ステップＳ２８）。具体的には、クーポン発行管理部１０５は、クーポン配信情報の「クーポン配信条件」とユーザ管理情報の「視聴履歴利用条件基本設定」とを比較することにより判断する。
【０１２９】
本実施の形態において、「クーポン配信条件」は、「なし」、「統計視聴履歴提供」及び「個人視聴履歴提供」のいずれかの値を含む。また、「視聴履歴利用条件基本設定」は「視聴履歴提供不可」、「統計視聴履歴提供可」及び「個人視聴履歴提供可」のいずれかの値を含む。
【０１３０】
「視聴履歴利用条件基本設定」が「視聴履歴提供不可」である場合、「クーポン配信条件」が「なし」であれば、クーポン発行管理部１０５は、視聴履歴利用条件がクーポン配信条件を満たすと判断し、それ以外、すなわち、「クーポン配信条件」が「統計視聴履歴提供」又は「個人視聴履歴提供」であれば、クーポン発行管理部１０５は、視聴履歴利用条件がクーポン配信条件を満たさないと判断する。
【０１３１】
また、「視聴履歴利用条件基本設定」が「統計履歴提供可」である場合、「クーポン配信条件」が「なし」又は「統計視聴履歴提供」であれば、クーポン発行管理部１０５は、視聴履歴利用条件がクーポン配信条件を満たすと判断し、それ以外、すなわち「視聴履歴利用条件基本設定」が「個人視聴履歴提供」であれば、クーポン発行管理部１０５は、視聴履歴利用条件がクーポン配信条件を満たさないと判断する。
【０１３２】
また、「視聴履歴利用条件基本設定」が「個人履歴提供可」である場合、「クーポン配信条件」が「なし」、「統計視聴履歴提供」又は「個人視聴履歴提供」であれば、クーポン発行管理部１０５は、視聴履歴利用条件がクーポン配信条件を満たすと判断する。
【０１３３】
なお、「クーポン配信条件」及び「視聴履歴利用条件基本設定」の値は、上記に限定されない。また、クーポン配信条件の判断方法についても、上記に限定されない。
【０１３４】
例えば、「個人視聴履歴1日分」又は「個人視聴履歴1週間分」など視聴履歴の提供期間を「クーポン配信条件」及び「視聴履歴利用条件基本設定」の値としてもよい。
【０１３５】
視聴履歴利用条件がＭ番目のクーポン配信条件を満たすと判断された場合、クーポン発行管理部１０５は、クーポンリストの利用可否情報の欄に、クーポンを利用可能であることを示す情報（「可」）を入力し（ステップＳ２９）、ステップＳ３１の処理に進む。
【０１３６】
一方、視聴履歴利用条件がＭ番目のクーポン配信条件を満たさないと判断された場合、クーポン発行管理部１０５は、クーポンリストの利用可否情報の欄にクーポンを利用不可能であることを示す情報（「不可」）を入力し（ステップＳ３０）、ステップＳ３１の処理に進む。
【０１３７】
次に、クーポン発行管理部１０５は、変数Ｍの値を１だけインクリメントし（ステップＳ３１）、ステップＳ２７の処理に戻る。
【０１３８】
また、ステップＳ２４でＮ番目の視聴履歴に対応するクーポン管理情報がないと判断された場合、又はステップＳ２７でＭ番目のクーポン配信情報がないと判断された場合、クーポン発行管理部１０５は、変数Ｎの値を１だけインクリメントし（ステップＳ３２）、ステップＳ２２の処理に戻る。
【０１３９】
以上、クーポンリスト作成処理の手順について説明した。
【０１４０】
図２２は、クーポンの利用に応じてユーザの視聴履歴を通知する視聴履歴通知処理の一例を示すフローチャートである。図２２では、ユーザによって広告主の店舗でクーポンが利用された際、クーポン利用履歴管理部１０６が、クーポン利用履歴配信端末４００からクーポン利用履歴を取得し、クーポンを利用したユーザの視聴履歴をクーポン利用履歴配信端末４００に通知する手順の一例を示す。
【０１４１】
始めに、クーポン利用履歴管理部１０６は、クーポン利用履歴配信端末４００によって送信されたクーポン利用履歴を受信したか否かを判断する（ステップＳ４１）。ここで、クーポン利用履歴を受信したと判断された場合（ステップＳ４１でＹＥＳ）、ステップＳ４２の処理に進み、クーポン利用履歴を受信していないと判断された場合（ステップＳ４１でＮＯ）、クーポン利用履歴を受信するまで待機する。
【０１４２】
ステップＳ４１でクーポン利用履歴を受信したと判断された場合、クーポン利用履歴管理部１０６は、クーポン発行管理情報テーブル内にクーポン利用履歴に対応するクーポン発行管理情報があるか否かを判断する（ステップＳ４２）。
【０１４３】
クーポン利用履歴に対応するクーポン発行管理情報があるか否かを判断するためには、クーポン管理会社（クーポン配信端末１００）は、クーポンを利用したユーザを識別する情報と、利用したクーポンを識別する情報とをクーポン利用履歴として広告主（クーポン利用履歴配信端末４００）から通知してもらう必要がある。本実施の形態では、クーポン画面７４においてクーポンＩＤとユーザＩＤとが目視で確認できるように、クーポン発行時にクーポンＩＤ及びユーザＩＤがクーポン画像に追加される。そのため、クーポン利用履歴配信端末４００のクーポン読取部４０１は、クーポンＩＤ及びユーザＩＤを読み取り、クーポン利用履歴送信部４０２は、読み取られたクーポンＩＤ及びユーザＩＤを含むクーポン利用履歴をクーポン利用履歴管理部１０６に通知する。なお、クーポン利用履歴の通知方法は上記に限定されない。例えば、クーポン管理会社は、予め広告主にクーポンＩＤを通知しておき、ユーザがクーポンを利用する際に、広告主は、ユーザからユーザＩＤを取得すればよい。これにより、クーポン画像にユーザＩＤ又はクーポンＩＤを追加する必要がなくなる。
【０１４４】
クーポン利用履歴管理部１０６は、クーポンＩＤ及びユーザＩＤが一致するクーポン発行管理情報をクーポン発行管理情報テーブルから検索する。
【０１４５】
クーポン利用履歴に対応するクーポン発行管理情報がないと判断された場合（ステップＳ４２でＮＯ）、クーポン利用履歴管理部１０６は、使用されたクーポンが不正なクーポンであることをクーポン利用履歴配信端末４００に通知し（ステップＳ４３）、視聴履歴通知処理を終了する。
【０１４６】
一方、クーポン利用履歴に対応するクーポン発行管理情報があると判断された場合（ステップＳ４２でＹＥＳ）、クーポン利用履歴管理部１０６は、クーポン利用履歴に対応するクーポン配信情報のクーポン配信条件を取得する（ステップＳ４４）。すなわち、クーポン利用履歴管理部１０６は、クーポン利用履歴に含まれるクーポンＩＤに対応するクーポン配信情報のクーポン配信条件をクーポン管理情報テーブルから取得する。
【０１４７】
次に、クーポン利用履歴管理部１０６は、取得したクーポン配信条件が「個人視聴履歴提供」であるか否かを判断する（ステップＳ４５）。
【０１４８】
クーポン配信条件が「個人視聴履歴提供」であると判断された場合（ステップＳ４５でＹＥＳ）、視聴履歴送信部１０７は、クーポンを利用したユーザの個人視聴履歴をクーポン利用履歴配信端末４００に送信し（ステップＳ４６）、ステップＳ４９の処理に進む。例えば、視聴履歴送信部１０７は、クーポン利用履歴に含まれるユーザＩＤが一致する視聴履歴を番組視聴履歴から抽出して、抽出した視聴履歴をクーポン利用履歴配信端末４００に送信する。
【０１４９】
これにより、広告主は、ユーザの視聴履歴からユーザの嗜好を分析し、ユーザの嗜好に合った接客を行うことができる。また、クーポンを利用したユーザが、広告主がＣＭを放送した番組以外に、どのような番組を視聴しているかを分析することにより、ユーザの嗜好を分析し、ユーザの嗜好に応じた接客を行うことができる。
【０１５０】
一方、クーポン配信条件が「個人視聴履歴提供」ではないと判断された場合（ステップＳ４５でＮＯ）、クーポン利用履歴管理部１０６は、取得したクーポン配信条件が「統計視聴履歴提供」であるか否かを判断する（ステップＳ４７）。ここで、クーポン配信条件が「統計視聴履歴提供」であると判断された場合（ステップＳ４７でＹＥＳ）、ステップＳ４８の処理に進み、クーポン配信条件が「統計視聴履歴提供」ではないと判断された場合（ステップＳ４７でＮＯ）、視聴履歴通知処理を終了する。
【０１５１】
ステップＳ４７でクーポン配信条件が「統計視聴履歴提供」であると判断された場合、視聴履歴送信部１０７は、統計視聴履歴をクーポン利用履歴配信端末４００に送信し（ステップＳ４８）、ステップＳ４９の処理に進む。
【０１５２】
ここで、視聴履歴管理部１０２は、例えば、統計視聴履歴の提供を許可している全ユーザの視聴履歴を統計処理して、統計処理結果を統計視聴履歴として作成してもよい。具体的には、視聴履歴管理部１０２は、ユーザ管理情報テーブル４０で管理されているユーザのうち、統計視聴履歴提供を許可している全てのユーザ、すなわち、視聴履歴利用条件基本設定の値が「個人視聴履歴提供可」又は「統計視聴履歴提供可」である全てのユーザの視聴履歴を番組視聴履歴から抽出し、番組毎に視聴者数を統計したデータを統計視聴履歴として作成してもよい。この統計視聴履歴からは、どの番組が一番視聴されているかという情報を得ることができる。
【０１５３】
また、視聴履歴管理部１０２は、例えば、ある広告主に対応するクーポンが発行された全ユーザを統計処理の対象とし、当該全ユーザの視聴履歴を統計処理して、統計処理結果を統計視聴履歴として作成してもよい。また、視聴履歴管理部１０２は、例えば、ある広告主に対応するクーポンを利用した全ユーザを統計処理の対象とし、当該全ユーザの視聴履歴を統計処理して、統計処理結果を統計視聴履歴として作成してもよい。
【０１５４】
また、視聴履歴管理部１０２は、例えば、ある商品に対応するクーポンが発行された全ユーザを統計処理の対象とし、当該全ユーザの視聴履歴を統計処理して、統計処理結果を統計視聴履歴として作成してもよい。また、視聴履歴管理部１０２は、例えば、ある商品に対応するクーポンを利用した全ユーザを統計処理の対象とし、当該全ユーザの視聴履歴を統計処理して、統計処理結果を統計視聴履歴として作成してもよい。
【０１５５】
また、視聴履歴管理部１０２は、例えば、ある商品のある広告枠に対応するクーポンが発行された全ユーザを統計処理の対象とし、当該全ユーザの視聴履歴を統計処理して、統計処理結果を統計視聴履歴として作成してもよい。また、視聴履歴管理部１０２は、例えば、ある商品のある広告枠に対応するクーポンを利用した全ユーザを統計処理の対象とし、当該全ユーザの視聴履歴を統計処理して、統計処理結果を統計視聴履歴として作成してもよい。
【０１５６】
また、視聴履歴管理部１０２は、例えば、あるクーポンが発行された全ユーザを統計処理の対象とし、当該全ユーザの視聴履歴を統計処理して、統計処理結果を統計視聴履歴として作成してもよい。また、視聴履歴管理部１０２は、例えば、あるクーポンを利用した全ユーザを統計処理の対象とし、当該全ユーザの視聴履歴を統計処理して、統計処理結果を統計視聴履歴として作成してもよい。
【０１５７】
具体的には、視聴履歴管理部１０２は、ユーザが利用したクーポンのクーポンＩＤを取得する。ある広告主に対応するクーポンが発行された全ユーザ、又はある広告主に対応するクーポンを利用した全ユーザを統計処理の対象とする場合には、視聴履歴管理部１０２は、さらに、クーポンＩＤをキーとしてクーポン管理情報テーブル３０から広告主名を取得し、広告主名が一致する全てのクーポンＩＤを抽出する。
【０１５８】
また、ある商品に対応するクーポンが発行された全ユーザ、又はある商品に対応するクーポンを利用した全ユーザを統計処理の対象とする場合には、視聴履歴管理部１０２は、さらに、クーポンＩＤをキーとしてクーポン管理情報テーブル３０から商品名を取得し、商品名が一致する全てのクーポンＩＤを抽出する。
【０１５９】
また、ある商品のある広告枠に対応するクーポンが発行された全ユーザ、又はある商品のある広告枠に対応するクーポンを利用した全ユーザを統計処理の対象とする場合には、視聴履歴管理部１０２は、さらに、クーポンＩＤをキーとしてクーポンＩＤと同一の広告枠の全てのクーポンＩＤを抽出する。
【０１６０】
そして、視聴履歴管理部１０２は、クーポン発行管理情報テーブルから、抽出したクーポンＩＤのいずれかが発行された全てのユーザＩＤ、又は抽出したクーポンＩＤのいずれかを利用した全てのユーザＩＤを抽出する。視聴履歴管理部１０２は、抽出した全てのユーザＩＤの中から、統計視聴履歴の提供を許可しているユーザＩＤ、すなわち、ユーザ管理情報テーブル４０の「視聴履歴利用条件基本設定」の値が「個人視聴履歴提供可」又は「統計視聴履歴提供可」である全てのユーザＩＤの視聴履歴を番組視聴履歴から抽出し、番組毎に視聴者数を統計したデータを統計視聴履歴としてもよい。
【０１６１】
これらの統計視聴履歴からは、ある広告主に対応するクーポンが発行されたユーザが、どの番組を視聴しているかという情報を得ることができる。また、ある広告主に対応するクーポンを利用したユーザが、どの番組を視聴しているかという情報を得ることができる。また、ある商品に対応するクーポンが発行されたユーザが、どの番組を視聴しているかという情報を得ることができる。また、ある商品に対応するクーポンを利用したユーザが、どの番組を視聴しているかという情報を得ることができる。また、ある商品のある広告枠に対応するクーポンが発行されたユーザが、どの番組を視聴しているかという情報を得ることができる。さらに、ある商品のある広告枠に対応するクーポンを利用したユーザが、どの番組を視聴しているかという情報を得ることができる。
【０１６２】
なお、本実施の形態では、ステップＳ４８のように、クーポン配信端末１００は、ユーザがクーポンを利用する毎に統計視聴履歴をクーポン利用履歴配信端末４００に送信しているが、統計視聴履歴の送信タイミングはこれに限定されない。例えば、クーポン配信端末１００は、初めてクーポン利用履歴が受信された場合のみ統計視聴履歴をクーポン利用履歴配信端末４００に送信してもよいし、一定数のクーポン利用履歴が受信される毎に統計視聴履歴をクーポン利用履歴配信端末４００に送信してもよいし、クーポン利用履歴の受信とは関係なく広告が放送されてから一定期間後に統計視聴履歴をクーポン利用履歴配信端末４００に送信してもよい。
【０１６３】
また、クーポン配信端末１００は、クーポン利用履歴が受信された際に、クーポン利用履歴が受信された時点までの統計視聴履歴をクーポン利用履歴配信端末４００に送信してもよい。また、クーポン配信端末１００は、クーポン利用履歴が受信された時点では統計視聴履歴を送信せずに、送信予約のみを行い、一定期間経過した後、それまでの視聴履歴を統計処理した統計視聴履歴をクーポン利用履歴配信端末４００に送信してもよい。
【０１６４】
また、クーポン配信条件が個人視聴履歴提供である場合、クーポン配信端末１００は、ユーザの個人視聴履歴に加え、統計視聴履歴をクーポン利用履歴配信端末４００に送信してもよい。
【０１６５】
ステップＳ４６で視聴履歴送信部１０７が個人視聴履歴をクーポン利用履歴配信端末４００に送信した後、又はステップＳ４８で視聴履歴送信部１０７が統計視聴履歴をクーポン利用履歴配信端末４００に送信した後、クーポン利用履歴管理部１０６は、クーポン発行管理情報テーブルを更新する（ステップＳ４９）。クーポン利用履歴管理部１０６は、クーポン利用履歴によって特定されるクーポン発行管理情報のクーポン利用情報の欄にクーポンが利用された日付を入力し、視聴履歴通知処理を終了する。
【０１６６】
図２３は、統計視聴履歴の一例を示す図であり、図２４は、図２３とは異なる番組の統計視聴履歴の一例を示す図である。図２３及び図２４の例では、クーポンＩＤごとに、クーポンを利用したユーザのうち統計視聴履歴の利用を許可した全ユーザの視聴履歴を統計視聴履歴としている。
【０１６７】
統計視聴履歴は、番組を識別するための情報として、放送局名、番組名及び放送日時を含んでもよい。なお、統計視聴履歴は、放送局名、番組名及び放送日時を含んでいなくてもよく、番組を識別するための情報を含んでいればよい。
【０１６８】
統計視聴履歴は、クーポン利用者中の視聴者数を含んでもよい。クーポン利用者中の視聴者数とは、当該クーポンを利用したユーザ、すなわち、この統計視聴履歴の対象ユーザの中で、番組を視聴した人数である。統計視聴履歴は、総視聴者数を含んでもよい。総視聴者数とは、本サービスを利用している統計視聴履歴の提供を許可しているユーザの中で、番組を視聴した人数である。
【０１６９】
例えば、図２３に示す統計視聴履歴１３００は、ＺＺ放送局で２０１４年２月２日２０：００〜２１：００に放送された番組名が「海外アニメ番組」である番組の広告枠に対する統計視聴履歴である。クーポン利用者中の視聴者数は、ＺＺ放送局で２０１４年２月２日２０：００〜２１：００に放送され、広告主が「ＤＤ」であり、商品名が「ＥＥアニメショー」であるクーポン、すなわちクーポンＩＤが「ＥＥＥ０００」又は「ＥＥＥ００１」であるクーポンを利用した全ユーザの視聴履歴を統計したものである。
【０１７０】
例えば、図２４に示す統計視聴履歴１３０１は、ＺＺ放送局で２０１４年２月１日２３：００〜２４：００に放送された番組名が「深夜アニメ番組」である番組の広告枠に対する統計視聴履歴である。クーポン利用者中の視聴者数は、ＺＺ放送局で２０１４年２月１日２３：００〜２４：００に放送され、広告主が「ＤＤ」であり、商品名が「ＥＥアニメショー」であるクーポン、すなわちクーポンＩＤが「ＤＤＤ０００」又は「ＤＤＤ００１」であるクーポンを利用した全ユーザの視聴履歴を統計したものである。
【０１７１】
ここで、ユーザがクーポンを選択してクーポンを発行し、広告主にユーザの視聴履歴が送信されるまでの流れを実際のデータを用いて説明する。
【０１７２】
始めに、広告主がクーポン登録情報をクーポン管理会社に登録する流れを説明する。広告主は、クーポン登録情報２１を作成し、クーポン情報管理部１０１に登録する。クーポン情報管理部１０１は、クーポン登録情報２１の各クーポン情報にクーポンＩＤを付与し、クーポン画像の代わりにクーポン画像を保存しているＵＲＬをクーポンＵＲＬとして付与することで、クーポン管理情報３１を作成し、作成したクーポン管理情報３１をクーポン管理情報テーブル３０に追加する。さらに、クーポン情報管理部１０１は、クーポン登録情報２１に含まれるクーポン画像２２及びクーポン画像２３をクーポンＵＲＬで示される格納先に格納して管理する。
【０１７３】
次に、クーポン配信機器ＩＤが「５Ｓ３Ｇ７ＡＦ」であるクーポン受信端末３００からクーポン一覧提示要求が送信され、クーポン受信端末３００に表示されるクーポン一覧画面からクーポンが選択され、クーポン配信端末１００によってクーポンが発行されるまでの流れを図１９、図２０及び図２１に示すフローチャートと図５〜１７に示す実際のデータとを用いて説明する。
【０１７４】
まず、クーポン発行管理部１０５は、クーポン一覧提示要求をクーポン受信端末３００から受信したか否かを判断する（ステップＳ１）。この場合、クーポン受信端末３００からクーポン一覧提示要求が送信されているので、クーポン一覧提示要求を受信したと判断され、ステップＳ２の処理に進む。
【０１７５】
次に、クーポン発行管理部１０５は、クーポン一覧提示要求を送信したクーポン受信端末３００の機器ＩＤである「５Ｓ３Ｇ７ＡＦ」をユーザ管理情報テーブル４０のクーポン配信機器ＩＤの列から検索し、クーポン一覧提示要求を送信したユーザを特定し、特定したユーザのユーザ管理情報を取得する（ステップＳ２）。この場合、クーポン発行管理部１０５は、ユーザ管理情報４１のクーポン配信機器ＩＤが「５Ｓ３Ｇ７ＡＦ」であるため、ユーザ管理情報４１を取得する。
【０１７６】
次に、クーポン発行管理部１０５は、視聴履歴管理部１０２からステップＳ２で特定したユーザの番組視聴履歴を取得する（ステップＳ３）。具体的には、クーポン発行管理部１０５は、視聴履歴管理部１０２が記憶している番組視聴履歴５４の中から、ユーザ管理情報４１のユーザＩＤ「００００１２３５」と等しいユーザＩＤに対応する視聴履歴を取得する。ここで、番組視聴履歴５０は、番組視聴履歴５４の中から、ユーザＩＤ「００００１２３５」に対応する視聴履歴５１、視聴履歴５２及び視聴履歴５３を取得したものである。
【０１７７】
次に、クーポン発行管理部１０５は、クーポン情報管理部１０１からクーポン管理情報テーブル３０を取得する（ステップＳ４）。
【０１７８】
次に、クーポン発行管理部１０５は、取得したユーザ管理情報４１、番組視聴履歴５０（視聴履歴５１、視聴履歴５２、視聴履歴５３）及びクーポン管理情報テーブル３０から、ユーザに提示すべきクーポンリストを作成する（ステップＳ５）。クーポンリストの作成については、図２１のフローチャートを用いて説明する。
【０１７９】
始めに、クーポン発行管理部１０５は、変数Ｎに１を代入する（ステップＳ２１）。
【０１８０】
次に、クーポン発行管理部１０５は、ユーザの番組視聴履歴５０について、１番目の視聴履歴があるか否かを判断する（ステップＳ２２）。この場合、１番目の視聴履歴である視聴履歴５１が存在するため、１番目の視聴履歴があると判断され、ステップＳ２３の処理に進む。
【０１８１】
次に、クーポン発行管理部１０５は、ユーザの番組視聴履歴５０のうち、１番目の視聴履歴５１を取得する(ステップＳ２３)。
【０１８２】
次に、クーポン発行管理部１０５は、クーポン管理情報テーブル３０に１番目の視聴履歴５１に対応するクーポン管理情報があるか否かを判断する（ステップＳ２４）。具体的には、クーポン発行管理部１０５は、クーポン管理情報テーブル３０に視聴履歴５１の放送局名、番組名及び放送日時と一致するクーポン管理情報があるか否かを判断する。この場合、クーポン管理情報３１が、視聴履歴５１の放送局名、番組名及び放送日時と一致するため、１番目の視聴履歴５１に対応するクーポン管理情報があると判断され、ステップＳ２５の処理に進む。
【０１８３】
次に、クーポン発行管理部１０５は、１番目の視聴履歴５１に対応するクーポン管理情報３１を取得し、取得したクーポン管理情報３１をクーポンリストに追加する（ステップＳ２５）。
【０１８４】
次に、クーポン発行管理部１０５は、変数Ｍに１を代入する（ステップＳ２６）。
【０１８５】
次に、クーポン発行管理部１０５は、クーポン管理情報３１に１番目のクーポン配信情報があるか否かを判断する（ステップＳ２７）。この場合、クーポン管理情報３１には１番目のクーポン配信情報３２が存在するため、１番目のクーポン配信情報があると判断され、ステップＳ２８の処理に進む。
【０１８６】
次に、クーポン発行管理部１０５は、ユーザの視聴履歴利用条件が、１番目のクーポン配信情報３２に含まれるクーポン配信条件を満たすか否かを判断する（ステップＳ２８）。具体的には、クーポン発行管理部１０５は、ユーザ管理情報４１の視聴履歴利用条件基本設定「統計視聴履歴提供可」が、１番目のクーポン配信情報３２のクーポン配信条件「統計視聴履歴提供」を満たすか否かを判断する。この場合、ユーザ管理情報４１の視聴履歴利用条件が、１番目のクーポン配信情報３２のクーポン配信条件を満たすと判断され、ステップＳ２９の処理に進む。
【０１８７】
次に、クーポン発行管理部１０５は、クーポンリストの利用可否情報の欄に、クーポンを利用可能であることを示す情報（「可」）を入力し（ステップＳ２９）、ステップＳ３１の処理に進む。
【０１８８】
次に、クーポン発行管理部１０５は、変数Ｍの値を１だけインクリメントし（ステップＳ３１）、ステップＳ２７の処理に戻る。この場合、変数Ｍの値は、２となる。
【０１８９】
次に、クーポン発行管理部１０５は、クーポン管理情報３１に２番目のクーポン配信情報があるか否かを判断する（ステップＳ２７）。この場合、クーポン管理情報３１には２番目のクーポン配信情報３３が存在するため、２番目のクーポン配信情報があると判断され、ステップＳ２８の処理に進む。
【０１９０】
次に、クーポン発行管理部１０５は、ユーザの視聴履歴利用条件が、２番目のクーポン配信情報３３に含まれるクーポン配信条件を満たすか否かを判断する（ステップＳ２８）。具体的には、クーポン発行管理部１０５は、ユーザ管理情報４１の視聴履歴利用条件基本設定「統計視聴履歴提供可」が、２番目のクーポン配信情報３３に含まれるクーポン配信条件「個人視聴履歴提供」を満たすか否かを判断する。この場合、ユーザ管理情報４１の視聴履歴利用条件が、２番目のクーポン配信情報３３のクーポン配信条件を満たさないと判断され、ステップＳ３０の処理に進む。
【０１９１】
次に、クーポン発行管理部１０５は、クーポンリストの利用可否情報の欄にクーポンを利用不可能であることを示す情報（「不可」）を入力し（ステップＳ３０）、ステップＳ３１の処理に進む。
【０１９２】
次に、クーポン発行管理部１０５は、変数Ｍの値を１だけインクリメントし（ステップＳ３１）、ステップＳ２７の処理に戻る。この場合、変数Ｍの値は、３となる。
【０１９３】
次に、クーポン発行管理部１０５は、クーポン管理情報３１に３番目のクーポン配信情報があるか否かを判断する（ステップＳ２７）。この場合、クーポン管理情報３１には３番目のクーポン配信情報は存在しないため、３番目のクーポン配信情報がないと判断され、ステップＳ３２の処理に進む。
【０１９４】
次に、クーポン発行管理部１０５は、変数Ｎの値を１だけインクリメントし（ステップＳ３２）、ステップＳ２２の処理に戻る。この場合、変数Ｎの値は、２となる。
【０１９５】
次に、クーポン発行管理部１０５は、ユーザの番組視聴履歴５０について、２番目の視聴履歴があるか否かを判断する（ステップＳ２２）。この場合、２番目の視聴履歴である視聴履歴５２が存在するため、２番目の視聴履歴があると判断され、ステップＳ２３の処理に進む。
【０１９６】
次に、クーポン発行管理部１０５は、ユーザの番組視聴履歴５０のうち、２番目の視聴履歴５２を取得する(ステップＳ２３)。
【０１９７】
次に、クーポン発行管理部１０５は、クーポン管理情報テーブル３０に２番目の視聴履歴５２に対応するクーポン管理情報があるか否かを判断する（ステップＳ２４）。具体的には、クーポン発行管理部１０５は、クーポン管理情報テーブル３０に視聴履歴５２の放送局名、番組名及び放送日時と一致するクーポン管理情報があるか否かを判断する。この場合、クーポン管理情報３４が、視聴履歴５２の放送局名、番組名及び放送日時と一致するため、２番目の視聴履歴５２に対応するクーポン管理情報があると判断され、ステップＳ２５の処理に進む。
【０１９８】
次に、クーポン発行管理部１０５は、２番目の視聴履歴５２に対応するクーポン管理情報３４を取得し、取得したクーポン管理情報３４をクーポンリストに追加する（ステップＳ２５）。
【０１９９】
次に、クーポン発行管理部１０５は、変数Ｍに１を代入する（ステップＳ２６）。
【０２００】
次に、クーポン発行管理部１０５は、クーポン管理情報３４に１番目のクーポン配信情報があるか否かを判断する（ステップＳ２７）。この場合、クーポン管理情報３４には１番目のクーポン配信情報３５が存在するため、１番目のクーポン配信情報があると判断され、ステップＳ２８の処理に進む。
【０２０１】
次に、クーポン発行管理部１０５は、ユーザの視聴履歴利用条件が、１番目のクーポン配信情報３５に含まれるクーポン配信条件を満たすか否かを判断する（ステップＳ２８）。具体的には、クーポン発行管理部１０５は、ユーザ管理情報４１の視聴履歴利用条件基本設定「統計視聴履歴提供可」が、１番目のクーポン配信情報３５のクーポン配信条件「統計視聴履歴提供」を満たすか否かを判断する。この場合、ユーザ管理情報４１の視聴履歴利用条件が、１番目のクーポン配信情報３５のクーポン配信条件を満たすと判断され、ステップＳ２９の処理に進む。
【０２０２】
次に、クーポン発行管理部１０５は、クーポンリストの利用可否情報の欄に、クーポンを利用可能であることを示す情報（「可」）を入力し（ステップＳ２９）、ステップＳ３１の処理に進む。
【０２０３】
次に、クーポン発行管理部１０５は、変数Ｍの値を１だけインクリメントし（ステップＳ３１）、ステップＳ２７の処理に戻る。この場合、変数Ｍの値は、２となる。
【０２０４】
次に、クーポン発行管理部１０５は、クーポン管理情報３４に２番目のクーポン配信情報があるか否かを判断する（ステップＳ２７）。この場合、クーポン管理情報３４には２番目のクーポン配信情報３６が存在するため、２番目のクーポン配信情報があると判断され、ステップＳ２８の処理に進む。
【０２０５】
次に、クーポン発行管理部１０５は、ユーザの視聴履歴利用条件が、２番目のクーポン配信情報３６に含まれるクーポン配信条件を満たすか否かを判断する（ステップＳ２８）。具体的には、クーポン発行管理部１０５は、ユーザ管理情報４１の視聴履歴利用条件基本設定「統計視聴履歴提供可」が、２番目のクーポン配信情報３６に含まれるクーポン配信条件「個人視聴履歴提供」を満たすか否かを判断する。この場合、ユーザ管理情報４１の視聴履歴利用条件が、２番目のクーポン配信情報３６のクーポン配信条件を満たさないと判断され、ステップＳ３０の処理に進む。
【０２０６】
次に、クーポン発行管理部１０５は、クーポンリストの利用可否情報の欄にクーポンを利用不可能であることを示す情報（「不可」）を入力し（ステップＳ３０）、ステップＳ３１の処理に進む。
【０２０７】
次に、クーポン発行管理部１０５は、変数Ｍの値を１だけインクリメントし（ステップＳ３１）、ステップＳ２７の処理に戻る。この場合、変数Ｍの値は、３となる。
【０２０８】
次に、クーポン発行管理部１０５は、クーポン管理情報３４に３番目のクーポン配信情報があるか否かを判断する（ステップＳ２７）。この場合、クーポン管理情報３４には３番目のクーポン配信情報は存在しないため、３番目のクーポン配信情報がないと判断され、ステップＳ３２の処理に進む。
【０２０９】
次に、クーポン発行管理部１０５は、変数Ｎの値を１だけインクリメントし（ステップＳ３２）、ステップＳ２２の処理に戻る。この場合、変数Ｎの値は、３となる。
【０２１０】
次に、クーポン発行管理部１０５は、ユーザの番組視聴履歴５０について、３番目の視聴履歴があるか否かを判断する（ステップＳ２２）。この場合、３番目の視聴履歴である視聴履歴５３が存在するため、３番目の視聴履歴があると判断され、ステップＳ２３の処理に進む。
【０２１１】
次に、クーポン発行管理部１０５は、ユーザの番組視聴履歴５０のうち、３番目の視聴履歴５３を取得する(ステップＳ２３)。
【０２１２】
次に、クーポン発行管理部１０５は、クーポン管理情報テーブル３０に３番目の視聴履歴５３に対応するクーポン管理情報があるか否かを判断する（ステップＳ２４）。具体的には、クーポン発行管理部１０５は、クーポン管理情報テーブル３０に視聴履歴５３の放送局名、番組名及び放送日時と一致するクーポン管理情報があるか否かを判断する。この場合、視聴履歴５３の放送局名、番組名及び放送日時と一致するクーポン管理情報がないため、ステップＳ３２の処理に進む。
【０２１３】
次に、クーポン発行管理部１０５は、変数Ｎの値を１だけインクリメントし（ステップＳ３２）、ステップＳ２２の処理に戻る。この場合、変数Ｎの値は、４となる。
【０２１４】
次に、クーポン発行管理部１０５は、ユーザの番組視聴履歴５０について、４番目の視聴履歴があるか否かを判断する（ステップＳ２２）。この場合、４番目の視聴履歴が存在しないため、４番目の視聴履歴はないと判断され、クーポンリスト作成処理を終了する。
【０２１５】
以上の処理により、クーポンリスト６０が作成される。ステップＳ５のクーポンリスト作成処理が終了すると、ステップＳ６の処理に進む。
【０２１６】
次に、クーポン発行管理部１０５は、作成したクーポンリスト６０を参照して、ユーザが選択可能なクーポンを表すクーポン一覧情報を作成し、作成したクーポン一覧情報を、クーポン一覧提示要求を送信したクーポン受信端末３００に送信する（ステップＳ６）。これにより、クーポン一覧画面７０がユーザに提示される。クーポン発行管理部１０５は、クーポンリスト６０の広告主名、商品名、クーポン情報及び利用可否情報をユーザが確認できるようなテキスト情報と、ユーザがクーポン一覧から選択したクーポンの発行を指示するボタンとが配置され、ボタンが押下されるとクーポン画像が表示されるようなスクリプトを含むＨＴＭＬ文書をクーポン一覧情報として作成する。そして、クーポン発行管理部１０５は、作成したクーポン一覧情報を、クーポン一覧提示要求を送信したクーポン受信端末３００に送信する。
【０２１７】
次に、クーポン発行管理部１０５は、クーポン受信端末３００からクーポン一覧提示終了指示を受信したか否かを判断する（ステップＳ７）。この場合、クーポン発行管理部１０５がクーポン一覧提示終了指示を受信していないため、ステップＳ８の処理に進む。
【０２１８】
次に、クーポン発行管理部１０５は、クーポン受信端末３００においてユーザによりクーポンが選択されたか否かを判断する（ステップＳ８）。この場合、ユーザによってクーポン発行指示ボタン７２が押下されるので、クーポンが選択されたと判断され、ステップＳ９の処理に進む。
【０２１９】
次に、クーポン発行管理部１０５は、選択されたクーポンが利用可能であるか否かを判断する（ステップＳ９）。クーポン発行管理部１０５は、クーポンリストを参照し、ユーザによって選択されたクーポンに対応する利用可否情報の値が利用可能であることを示す値であるか否かを判断する。ユーザがクーポン発行指示ボタン７２を押下した場合、クーポンが利用不可であると判断されるため、ステップＳ１０の処理に進む。
【０２２０】
次に、クーポン発行管理部１０５は、当該クーポンの広告主に対する視聴履歴利用条件の変更にユーザが同意したか否かを判断する（ステップＳ１０）。例えば、ユーザによってクーポン発行指示ボタン７２が押下されると、視聴履歴利用条件の変更を受け付けるための視聴履歴利用条件変更画面７３が表示される。視聴履歴利用条件変更画面７３のように、個人視聴履歴が広告主であるＸＸ市観光局に渡されてもよいか否かを確認するメッセージがユーザに提示され、許可するか否かを選択させる。視聴履歴利用条件変更画面７３において、ユーザによって「はい」が選択され、視聴履歴利用条件の変更にユーザが同意したと判断された場合、ステップＳ１１の処理に進む。
【０２２１】
次に、クーポン発行管理部１０５は、クーポンを発行する（ステップＳ１１）。クーポン発行管理部１０５は、対応するクーポン画像をクーポン一覧提示要求のあったクーポン受信端末３００に送信する。例えば、クーポン受信端末３００は、クーポン画面７４を表示し、クーポン受信端末３００内にクーポン画像を保存する。クーポン画面を提示された広告主がクーポン利用履歴をクーポン管理会社に通知する際に、クーポンを容易に識別可能とするため、本実施の形態では、クーポン発行管理部１０５は、広告主から取得したクーポン画像２３に、当該クーポンを識別するためのクーポンＩＤ及びクーポンの発行を指示したユーザを識別するためのユーザＩＤを追加している。
【０２２２】
次に、クーポン発行管理部１０５は、クーポン発行管理情報テーブルを更新し（ステップＳ１２）、ステップＳ６の処理に戻る。具体的には、ユーザＩＤが「００００１２３５」であり、クーポンＩＤが「ＣＣＣ００１」であり、クーポン発行日が「２０１４年２月４日」である場合、クーポン発行管理部１０５は、クーポン発行管理情報８２をクーポン発行管理情報テーブル８０に追加する。これにより、クーポン発行管理情報テーブル８１が作成される。
【０２２３】
次に、クーポン発行管理部１０５は、作成したクーポンリストを参照して、ユーザが選択可能なクーポンを表すクーポン一覧情報を作成し、作成したクーポン一覧情報を、クーポン一覧提示要求を送信したクーポン受信端末３００に送信する（ステップＳ６）。なお、クーポン受信端末３００がクーポン一覧情報を既に受信している場合は、クーポン発行管理部１０５は再度クーポン一覧情報を送信する必要はなく、クーポン受信端末３００は、既に受信しているクーポン一覧情報を表示してもよい。
【０２２４】
次に、クーポン発行管理部１０５は、クーポン受信端末３００からクーポン一覧提示終了指示を受信したか否かを判断する（ステップＳ７）。この場合、クーポン発行管理部１０５がクーポン一覧提示終了指示を受信していないため、ステップＳ８の処理に進む。
【０２２５】
次に、クーポン発行管理部１０５は、クーポン受信端末３００においてユーザによりクーポンが選択されたか否かを判断する（ステップＳ８）。この場合、ユーザによってクーポン発行指示ボタン７１が押下されるので、クーポンが選択されたと判断され、ステップＳ９の処理に進む。
【０２２６】
次に、クーポン発行管理部１０５は、選択されたクーポンが利用可能であるか否かを判断する（ステップＳ９）。ユーザがクーポン発行指示ボタン７１を押下した場合、クーポンが利用可能であると判断されるため、ステップＳ１１の処理に進む。
【０２２７】
次に、クーポン発行管理部１０５は、クーポンを発行する（ステップＳ１１）。クーポン発行管理部１０５は、対応するクーポン画像をクーポン一覧提示要求のあったクーポン受信端末３００に送信する。例えば、クーポン受信端末３００は、クーポン画面７５を表示し、クーポン受信端末３００内にクーポン画像を保存する。クーポン画面を提示された広告主がクーポン利用履歴をクーポン管理会社に通知する際に、クーポンを容易に識別可能とするため、本実の形態では、クーポン発行管理部１０５は、広告主から取得したクーポン画像に、当該クーポンを識別するためのクーポンＩＤ及びクーポンの発行を指示したユーザを識別するためのユーザＩＤを追加している。
【０２２８】
次に、クーポン発行管理部１０５は、クーポン発行管理情報テーブルを更新し（ステップＳ１２）、ステップＳ６の処理に戻る。具体的には、ユーザＩＤが「００００１２３５」であり、クーポンＩＤが「ＤＤＤ０００」であり、クーポン発行日が「２０１４年２月４日」である場合、クーポン発行管理部１０５は、クーポン発行管理情報８４をクーポン発行管理情報テーブル８１に追加する。これにより、クーポン発行管理情報テーブル８３が作成される。
【０２２９】
次に、クーポン発行管理部１０５は、作成したクーポンリストを参照して、ユーザが選択可能なクーポンを表すクーポン一覧情報を作成し、作成したクーポン一覧情報を、クーポン一覧提示要求を送信したクーポン受信端末３００に送信する（ステップＳ６）。なお、クーポン受信端末３００がクーポン一覧情報を既に受信している場合は、クーポン発行管理部１０５は再度クーポン一覧情報を送信する必要はなく、クーポン受信端末３００は、既に受信しているクーポン一覧情報を表示してもよい。
【０２３０】
次に、クーポン発行管理部１０５は、クーポン受信端末３００からクーポン一覧提示終了指示を受信したか否かを判断する（ステップＳ７）。ここで、クーポン受信端末３００からクーポン一覧提示終了指示を受信した場合、クーポン発行処理を終了する。
【０２３１】
以上の処理により、ユーザがクーポン画面７４及びクーポン画面７５を取得することができる。
【０２３２】
ここで、ユーザがクーポン画面７４を広告主の店舗であるＸＸ美術館にて利用し、広告主にユーザの視聴履歴が送信されるまでの流れを、図２２に示すフローチャートと実際のデータとを用いて説明する。
【０２３３】
まず、クーポン利用履歴管理部１０６は、クーポン利用履歴配信端末４００によって送信されたクーポン利用履歴を受信したか否かを判断する（ステップＳ４１）。この場合、ユーザがクーポン画面７４に示すクーポンを利用し、クーポン利用履歴配信端末４００がクーポン利用履歴を送信しているため、クーポン利用履歴を受信したと判断され、ステップＳ４２の処理に進む。
【０２３４】
次に、クーポン利用履歴管理部１０６は、クーポン発行管理情報テーブル内にクーポン利用履歴に対応するクーポン発行管理情報があるか否かを判断する（ステップＳ４２）。
【０２３５】
クーポン管理会社（クーポン配信端末１００）は、クーポンを利用したユーザを識別する情報と、利用したクーポンを識別する情報とをクーポン利用履歴として広告主（クーポン利用履歴配信端末４００）から通知してもらう必要がある。本実施の形態では、クーポン画面７４においてクーポンＩＤとユーザＩＤとが目視で確認できるように、クーポン発行時にクーポンＩＤ及びユーザＩＤがクーポン画像に追加される。そのため、クーポン利用履歴配信端末４００のクーポン読取部４０１は、クーポンＩＤ及びユーザＩＤを読み取り、クーポン利用履歴送信部４０２は、読み取られたクーポンＩＤ及びユーザＩＤを含むクーポン利用履歴をクーポン利用履歴管理部１０６に通知する。
【０２３６】
なお、クーポン利用履歴の通知方法は上記に限定されない。例えば、クーポン管理会社は、予め広告主にクーポンＩＤを通知しておき、ユーザがクーポンを利用する際に、広告主は、ユーザからユーザＩＤを取得すればよい。これにより、クーポン画像にユーザＩＤ又はクーポンＩＤを追加する必要がなくなる。
【０２３７】
本実施の形態では、クーポン読取部４０１は、クーポン画面７４からクーポンＩＤ「ＣＣＣ００１」及びユーザＩＤ「００００１２３５」を読み取る。クーポン利用履歴送信部４０２は、クーポン読取部４０１によって読み取られたクーポンＩＤ及びユーザＩＤを含むクーポン利用履歴をクーポン利用履歴管理部１０６に送信する。クーポン利用履歴管理部１０６は、クーポン発行管理情報テーブル８３を参照し、クーポン発行管理情報テーブル８３内にクーポン利用履歴に対応するクーポン発行管理情報があるか否かを判断する。この場合、クーポンＩＤが「ＣＣＣ００１」であり、ユーザＩＤが「００００１２３５」であるクーポン発行管理情報８２が存在するので、クーポン利用履歴に対応するクーポン発行管理情報があると判断され、ステップＳ４４の処理に進む。
【０２３８】
次に、クーポン利用履歴管理部１０６は、クーポン利用履歴に対応するクーポン配信情報のクーポン配信条件を取得する（ステップＳ４４）。具体的には、クーポン利用履歴管理部１０６は、クーポンＩＤ「ＣＣＣ００１」を取得し、クーポン管理情報テーブル３０からクーポンＩＤが一致するクーポン配信情報３３を検索し、クーポン配信情報３３に含まれるクーポン配信条件「個人視聴履歴提供」を取得する。
【０２３９】
次に、クーポン利用履歴管理部１０６は、取得したクーポン配信条件が「個人視聴履歴提供」であるか否かを判断する（ステップＳ４５）。クーポン配信情報３３のクーポン配信条件は「個人視聴履歴提供」であるため、クーポン配信条件が「個人視聴履歴提供」であると判断され、ステップＳ４６の処理に進む。
【０２４０】
次に、視聴履歴送信部１０７は、クーポンを利用したユーザの個人視聴履歴をクーポン利用履歴配信端末４００に送信し（ステップＳ４６）、ステップＳ４９の処理に進む。具体的には、視聴履歴送信部１０７は、番組視聴履歴５４からユーザＩＤが「００００１２３５」である視聴履歴のみを抽出し、抽出した複数の視聴履歴を番組視聴履歴５０としてクーポン利用履歴配信端末４００の視聴履歴取得部４０３に送信する。
【０２４１】
次に、クーポン利用履歴管理部１０６は、クーポン発行管理情報テーブル８３を更新する（ステップＳ４９）。クーポン利用履歴管理部１０６は、クーポン発行管理情報テーブル８３のクーポン発行管理情報８２のクーポン利用情報の欄にクーポンが利用された日付「２０１４年２月５日」を入力し、視聴履歴通知処理を終了する。なお、クーポンが利用された日付は、クーポン利用履歴配信端末４００によって送信されるクーポン利用履歴に含まれていてもよい。また、クーポン利用履歴にクーポンが利用された日付が含まれていない場合、クーポン利用履歴管理部１０６は、クーポン利用履歴を受信した日付をクーポンが利用された日付としてもよい。
【０２４２】
以上のようにして、広告主は、現在店舗に来店中のユーザがクーポンを利用した際に、当該ユーザの個人視聴履歴である番組視聴履歴５０を取得することができる。これにより、広告主は、ユーザの視聴履歴からユーザの嗜好を分析し、ユーザの嗜好に合った接客を行うことができる。例えば、広告主は、視聴履歴５２を参照し、ユーザがアニメに興味があることが分かる。そのため、広告主であるＸＸ美術館は、来月開催予定の「アニメ原画展」の展覧会をユーザにアナウンスすることができる。また、広告主は、視聴履歴５３を参照し、ユーザが日本の美術品に興味があることが分かる。そのため、広告主であるＸＸ美術館で販売している絵画のうち日本画の販売をユーザに案内することができる。
【０２４３】
ここで、ユーザがクーポン画面７５を広告主の店舗であるＥＥアニメショーにて利用し、広告主にユーザの視聴履歴が送信されるまでの流れを、図２２に示すフローチャートと実際のデータとを用いて説明する。
【０２４４】
まず、クーポン利用履歴管理部１０６は、クーポン利用履歴配信端末４００によって送信されたクーポン利用履歴を受信したか否かを判断する（ステップＳ４１）。この場合、ユーザがクーポン画面７５に示すクーポンを利用し、クーポン利用履歴配信端末４００がクーポン利用履歴を送信しているため、クーポン利用履歴を受信したと判断され、ステップＳ４２の処理に進む。
【０２４５】
次に、クーポン利用履歴管理部１０６は、クーポン発行管理情報テーブル内にクーポン利用履歴に対応するクーポン発行管理情報があるか否かを判断する（ステップＳ４２）。この場合、クーポン読取部４０１は、クーポン画面７５からクーポンＩＤ「ＤＤＤ０００」及びユーザＩＤ「００００１２３５」を読み取る。クーポン利用履歴送信部４０２は、クーポン読取部４０１によって読み取られたクーポンＩＤ及びユーザＩＤを含むクーポン利用履歴をクーポン利用履歴管理部１０６に送信する。クーポン利用履歴管理部１０６は、クーポン発行管理情報テーブル８３を参照し、クーポン発行管理情報テーブル８３内にクーポン利用履歴に対応するクーポン発行管理情報があるか否かを判断する。この場合、クーポンＩＤが「ＤＤＤ０００」であり、ユーザＩＤが「００００１２３５」であるクーポン発行管理情報８４が存在するので、クーポン利用履歴に対応するクーポン発行管理情報があると判断され、ステップＳ４４の処理に進む。
【０２４６】
次に、クーポン利用履歴管理部１０６は、クーポン利用履歴に対応するクーポン配信情報のクーポン配信条件を取得する（ステップＳ４４）。具体的には、クーポン利用履歴管理部１０６は、クーポンＩＤ「ＤＤＤ０００」を取得し、クーポン管理情報テーブル３０からクーポンＩＤが一致するクーポン配信情報３５を検索し、クーポン配信情報３５に含まれるクーポン配信条件「統計視聴履歴提供」を取得する。
【０２４７】
次に、クーポン利用履歴管理部１０６は、取得したクーポン配信条件が「個人視聴履歴提供」であるか否かを判断する（ステップＳ４５）。クーポン配信情報３５のクーポン配信条件は「統計視聴履歴提供」であるため、クーポン配信条件が「個人視聴履歴提供」ではないと判断され、ステップＳ４７の処理に進む。
【０２４８】
次に、クーポン利用履歴管理部１０６は、取得したクーポン配信条件が「統計視聴履歴提供」であるか否かを判断する（ステップＳ４７）。クーポン配信情報３５のクーポン配信条件は「統計視聴履歴提供」であるため、クーポン配信条件が「統計視聴履歴提供」であると判断され、ステップＳ４８の処理に進む。
【０２４９】
次に、クーポン利用履歴管理部１０６は、統計視聴履歴をクーポン利用履歴配信端末４００に送信し（ステップＳ４８）、ステップＳ４９の処理に進む。
【０２５０】
例えば、クーポン利用履歴管理部１０６は、商品名「ＥＥアニメショー」のクーポンを利用した全ユーザの視聴履歴の統計を行い、統計視聴履歴としてクーポン利用履歴配信端末４００に送信する。
【０２５１】
具体的には、クーポン利用履歴管理部１０６は、ユーザが利用したクーポンのクーポンＩＤ「ＤＤＤ０００」を参照して、クーポン管理情報テーブル３０から当該クーポンＩＤに対応する商品名「ＥＥアニメショー」を取得する。そして、クーポン利用履歴管理部１０６は、取得した商品名「ＥＥアニメショー」が一致する全てのクーポンＩＤをクーポン管理情報テーブル３０から抽出する。そして、クーポン利用履歴管理部１０６は、クーポン発行管理情報テーブルから、抽出したクーポンＩＤのいずれかが発行されたユーザのユーザＩＤ又は抽出したクーポンＩＤのいずれかを利用したユーザのユーザＩＤを全て抽出する。クーポン利用履歴管理部１０６は、抽出したユーザＩＤの中から、統計視聴履歴提供を許可しているユーザ、すなわち、ユーザ管理情報テーブル４０の視聴履歴利用条件基本設定の値が「個人視聴履歴提供可」又は「統計視聴履歴提供可」である全てのユーザの視聴履歴を番組視聴履歴から抽出し、番組毎に視聴者数を合計したデータを統計視聴履歴として算出する。この統計視聴履歴からは、「ＥＥアニメショー」のクーポンを利用した視聴者が、どの番組を視聴しているかという情報を得ることができる。
【０２５２】
次に、クーポン利用履歴管理部１０６は、クーポン発行管理情報テーブル８３を更新する（ステップＳ４９）。クーポン利用履歴管理部１０６は、クーポン発行管理情報テーブル８３のクーポン発行管理情報８４のクーポン利用情報の欄にクーポンが利用された日付「２０１４年２月５日」を入力し、視聴履歴通知処理を終了する。
【０２５３】
以上のようにして、広告主であるＤＤ社は、クーポンＩＤが「ＤＤＤ０００」又は「ＤＤＤ００１」であるクーポンを利用したユーザの統計視聴履歴である統計視聴履歴１３０１を取得することができる。クーポン管理情報テーブル３０を参照すると、ＤＤ社は、２０１４年２月１日の２０：００〜２１：００にＺＺ放送局から放送される番組「海外アニメ番組」にも広告を放送していることが分かる。そのため、上記と同様にして、クーポン利用履歴管理部１０６は、クーポンＩＤが「ＤＤＤ０００」又は「ＥＥＥ００１」であるクーポンを利用したユーザの統計視聴履歴１３００を取得することができる。
【０２５４】
広告主であるＤＤ社は、統計視聴履歴１３００を参照し、海外アニメ番組を視聴してクーポンを利用したユーザが１７５０人おり、そのユーザのうちの１７００人は深夜アニメ番組を視聴していることが分かる。この結果から、「海外アニメ番組」の視聴者は「深夜アニメ番組」も視聴しており、現在は「海外アニメ番組」と「深夜アニメ番組」とでＣＭを放送しているが、「海外アニメ番組」でのＣＭの放送をやめて「深夜アニメ番組」のみでＣＭを放送してもほぼ同様の広告効果が得られることが分かり、広告料を削減することができる。
【０２５５】
また、広告主であるＤＤ社は、統計視聴履歴１３００を参照し、海外アニメ番組を視聴してクーポンを利用したユーザが１７５０人おり、そのユーザのうちの１５００人は日本美術紀行を視聴していることが分かる。また、広告主であるＤＤ社は、統計視聴履歴１３０１を参照し、深夜アニメ番組を視聴してクーポンを利用したユーザが９００人おり、そのユーザのうちの７８０人は日本美術紀行を視聴していることが分かる。この結果から、さらなる訪問者を獲得するためには「海外アニメ番組」でＣＭを放送するのに代えて、「日本美術紀行」でＣＭを放送したほうがよいことが分かる。
【０２５６】
このように、本実施の形態の広告効果通知システムによれば、広告主はクーポンを利用したユーザの視聴履歴を取得することで、ユーザがどの番組を見て来店したかを知ることができる。さらに、来店したユーザがＣＭを放送した番組以外にどのような番組を視聴しているかを分析することにより、ユーザの嗜好に応じた接客を行ったり、最も広告効果の高いＣＭの放送時間帯又は最もコストパフォーマンスの高いＣＭの放送時間帯を決定したりすることができる。
【０２５７】
なお、本実施の形態では、ユーザの視聴履歴のみを個人情報として取得し、ユーザに個人情報の利用条件を設定させ、利用条件に応じて個人視聴履歴及び／又は統計視聴履歴を広告主に通知しているが、個人情報は視聴履歴のみに限定されない。例えば、ユーザの家族構成、年代、性別、居住地域又は趣味などの属性情報を個人情報として取得し、ユーザに個人情報の利用条件を設定させ、利用条件に応じて個人属性情報及び／又は統計属性情報を広告主に通知してもよい。また、例えば、家電の利用履歴を個人情報として取得し、ユーザに個人情報の利用条件を設定させ、利用条件に応じて個人家電利用履歴及び／又は統計家電利用履歴を広告主に通知してもよい。広告主は属性情報又は家電の利用履歴から、クーポンを利用して来店する顧客の個人属性情報を把握したり、家電の稼働時間から顧客の生活スタイルを把握したりすることができる。そのため、顧客に応じた接客を行うことができたり、クーポンを利用して来店する顧客の傾向からＣＭの訴求方法を変更したりすることができる。
【０２５８】
図２５は、本実施の形態における情報提供方法の一例を示すフローチャートである。なお、図２５に示す情報提供方法は、図１８に示す広告効果通知システムを用いて行われる。
【０２５９】
まず、クーポン発行管理部１０５は、クーポンを要求するクーポン通知要求をクーポン受信端末３００から受信したか否かを判断する（ステップＳ１０１）。クーポン受信端末３００は、ユーザの指示によりクーポン通知要求をクーポン配信端末１００へ送信する。ここで、クーポン通知要求を受信していないと判断された場合（ステップＳ１０１でＮＯ）、ステップＳ１０９の処理へ移行する。
【０２６０】
一方、クーポン通知要求を受信したと判断された場合（ステップＳ１０１でＹＥＳ）、視聴履歴管理部１０２は、ユーザが一定期間に視聴した番組の視聴履歴を含む個人情報を取得する（ステップＳ１０２）。視聴履歴管理部１０２は、クーポン通知要求を送信したクーポン受信端末３００の機器ＩＤにより特定されるユーザに対応する視聴履歴を視聴履歴取得端末２００から取得する。
【０２６１】
次に、クーポン発行管理部１０５は、個人情報をユーザ以外の第３者（広告主）に提供する条件を示す個人情報提供条件を取得する（ステップＳ１０３）。視聴履歴利用条件管理部１０３は、個人情報をユーザ以外の第３者に提供する条件を示す個人情報提供条件を記憶している。
【０２６２】
次に、クーポン発行管理部１０５は、番組に含まれる広告を視聴したユーザが利用可能であるクーポンと、クーポンを通知する条件を示すクーポン通知条件とを取得する（ステップＳ１０４）。クーポン情報管理部１０１は、番組に含まれる広告を視聴したユーザが利用可能であるクーポンと、クーポンを通知する条件を示すクーポン通知条件とを対応付けて記憶している。
【０２６３】
次に、クーポン発行管理部１０５は、視聴履歴に基づいてユーザが視聴した広告に対応するクーポンを特定する（ステップＳ１０５）。
【０２６４】
次に、クーポン発行管理部１０５は、個人情報提供条件とクーポン通知条件とに基づいて、特定したクーポンが利用可能であるか否かを判断する（ステップＳ１０６）。ここで、クーポンが利用不可能であると判断された場合（ステップＳ１０６でＮＯ）、クーポン発行管理部１０５は、クーポンを利用するために個人情報提供条件の変更を受け付け、個人情報提供条件が変更されたか否かを判断する（ステップＳ１０７）。
【０２６５】
クーポンが利用可能であると判断された場合（ステップＳ１０６でＹＥＳ）、又は個人情報提供条件が変更されたと判断された場合（ステップＳ１０７でＹＥＳ）、クーポン発行管理部１０５は、利用可能であると判断されたクーポンをユーザに通知する。クーポン発行管理部１０５は、利用可能であると判断されたクーポンをクーポン受信端末３００へ送信する。クーポン受信端末３００は、クーポン配信端末１００によって送信されたクーポンを受信して表示する。
【０２６６】
クーポンがユーザに通知された後、又は個人情報提供条件が変更されないと判断された場合（ステップＳ１０７でＮＯ）、ステップＳ１０１の処理に戻る。
【０２６７】
また、ステップＳ１０１においてクーポン通知要求を受信していないと判断された場合（ステップＳ１０１でＮＯ）、クーポン利用履歴管理部１０６は、クーポン利用履歴配信端末４００からクーポン利用履歴を受信したか否かを判断する（ステップＳ１０９）。クーポン利用履歴配信端末４００は、クーポン受信端末３００に表示されたクーポンのクーポンＩＤ及びユーザＩＤを読み取り、クーポンＩＤ、ユーザＩＤ及び利用日時を含むクーポン利用履歴をクーポン配信端末１００へ送信する。
【０２６８】
クーポン利用履歴を受信したと判断された場合（ステップＳ１０９でＹＥＳ）、すなわち、通知されたクーポンがユーザによって利用された後、クーポン利用履歴管理部１０６は、個人情報提供条件に応じた個人情報を提供する（ステップＳ１１０）。クーポン利用履歴管理部１０６は、クーポン利用履歴によって特定されるユーザの個人情報提供条件に応じた個人情報をクーポン利用履歴配信端末４００へ送信する。
【０２６９】
個人情報が提供された後、又はクーポン利用履歴を受信していないと判断された場合（ステップＳ１０９でＮＯ）、ステップＳ１０１の処理に戻る。
【０２７０】
なお、クーポン通知条件は、クーポンを利用した１のユーザの視聴履歴を含む第１の個人情報を提供することを示す第１のクーポン通知条件と、クーポンを利用した複数のユーザの視聴履歴に対して統計処理を施した統計視聴履歴を含む第２の個人情報を提供することを示す第２のクーポン通知条件とを含んでもよい。クーポンは、第１のクーポン通知条件に対応する第１のクーポンと、第２のクーポン通知条件に対応する第２のクーポンとを含んでもよい。そして、クーポン発行管理部１０５は、個人情報提供条件が第１のクーポン通知条件を満たす場合、第１のクーポンが利用可能であると判断し、個人情報提供条件が第２のクーポン通知条件を満たす場合、第２のクーポンが利用可能であると判断し、個人情報提供条件が第１のクーポン通知条件及び第２のクーポン通知条件を満たさない場合、第１のクーポン及び第２のクーポンのいずれも利用不可であると判断してもよい。
【０２７１】
また、個人情報は、ユーザの年齢、性別、家族構成、居住地域及び趣味のうちの少なくとも１つを示すユーザ属性情報をさらに含んでもよい。クーポン通知条件は、ユーザ属性情報を提供することを示す第３のクーポン通知条件を含んでもよい。そして、クーポン発行管理部１０５は、個人情報提供条件が第３のクーポン通知条件を満たす場合、クーポンを利用可能であると判断してもよい。
【０２７２】
また、個人情報は、前記ユーザが所有する家電機器の使用履歴をさらに含んでもよい。クーポン通知条件は、家電機器の使用履歴を提供することを示す第４のクーポン通知条件を含んでもよい。そして、クーポン発行管理部１０５は、個人情報提供条件が第４のクーポン通知条件を満たす場合、クーポンを利用可能であると判断してもよい。
【産業上の利用可能性】
【０２７３】
本発明に係る情報提供方法、情報提供システム及びサーバは、ユーザがどの時間帯に放送された広告を視聴したかを知ることができ、ユーザにクーポンを提示するとともに、ユーザの視聴履歴を含む情報を提供する情報提供方法、情報提供システム及びサーバに有用である。
【符号の説明】
【０２７４】
１００    クーポン配信端末
１０１    クーポン情報管理部
１０２    視聴履歴管理部
１０３    視聴履歴利用条件管理部
１０５    クーポン発行管理部
１０６    クーポン利用履歴管理部
１０７    視聴履歴送信部
２００    視聴履歴取得端末
２０１    視聴履歴算出部
２０２    視聴履歴送信部
３００    クーポン受信端末
３０１    クーポン取得部
３０２    表示部
４００    クーポン利用履歴配信端末
４０１    クーポン読取部
４０２    クーポン利用履歴送信部
４０３    視聴履歴取得部
【図１】
2015187838.tif 000003
【図２】
2015187838.tif 000004
【図３】
2015187838.tif 000005
【図４】
2015187838.tif 000006
【図５】
2015187838.tif 000007
【図６】
2015187838.tif 000008
【図７】
2015187838.tif 000009
【図８】
2015187838.tif 000010
【図９】
2015187838.tif 000011
【図１０】
2015187838.tif 000012
【図１１】
2015187838.tif 000013
【図１２】
2015187838.tif 000014
【図１３】
2015187838.tif 000015
【図１４】
2015187838.tif 000016
【図１５】
2015187838.tif 000017
【図１６】
2015187838.tif 000018
【図１７】
2015187838.tif 000019
【図１８】
2015187838.tif 000020
【図１９】
2015187838.tif 000021
【図２０】
2015187838.tif 000022
【図２１】
2015187838.tif 000023
【図２２】
2015187838.tif 000024
【図２３】
2015187838.tif 000025
【図２４】
2015187838.tif 000026
【図２５】
2015187838.tif 000027